(57)【要約】キャンプオンするように構成された複数の基地局を有するセルラネットワークで動作する無線端末であって、トランシーバと、少なくとも１つのプロセッサと、メモリとを備え、トランシーバが１組のシステム情報を受信するように構成され、基地局によりそれぞれ送信されたシステム情報のそれぞれが、基地局の１つにより送信されたエリアシステム情報を含み、エリアシステム情報が上記基地局及び少なくとも１つの他の基地局によりカバーされるローカルエリアに共通であり、プロセッサが、受信したエリアシステム情報を上記メモリに格納するように構成され、プロセッサがさらに、−システム情報と共に送信されたエリアの変更を示すエリア識別子、−システム情報と共に送信されたエリアシステム情報値の値の変更を示すシステム値変更フィールド、又は−システム情報と共に送信されたシステム値変更フィールドのオーバーランを示すオーバーランフィールドを検出した場合にのみ、後で送信されたエリアシステム情報を処理する。【選択図】  図１ａ
2019527001.tif 000002
【特許請求の範囲】
【請求項１】
キャンプオンするように構成された複数の基地局（ＢＳ１、ＢＳ２、ＢＳ３）を有するセルラネットワーク（ＣＮ）で動作する無線端末（ＵＥ）であって、前記無線端末がトランシーバと、少なくとも１つのプロセッサと、メモリとを備え、
前記トランシーバが１組のシステム情報を受信するように構成され、前記基地局によりそれぞれ送信された前記システム情報のそれぞれが、前記基地局の１つにより送信されたエリアシステム情報を含み、前記エリアシステム情報が、前記基地局及び少なくとも１つの他の基地局によりカバーされるローカルエリア（Ａ１、Ａ２）に共通であり、前記プロセッサが、受信したエリアシステム情報を前記メモリに格納するように構成され、前記無線端末の前記プロセッサがさらに、
−前記システム情報と共に送信されたエリアの変更を示すエリア識別子、
−前記システム情報と共に送信されたエリアシステム情報値の値の変更を示すシステム値変更フィールド、又は
−前記システム情報と共に送信された前記システム値変更フィールドのオーバーランを示すオーバーランフィールド
を検出した場合にのみ、後で送信されたエリアシステム情報を処理するように構成される無線端末（ＵＥ）。
【請求項２】
前記無線端末が現在の基地局（ＢＳ１）から第２の基地局（ＢＳ２）へのセル再選択を実行するように構成され、
前記プロセッサが、
−前記第２の基地局により送信されたエリア識別子が、前記格納されている１組のシステム情報（ＳＩ１）と共に受信された前記エリア識別子と異なる場合、
−前記第２の基地局により送信されたシステム値変更フィールドが、前記格納されている１組のシステム情報と共に受信された前記システム値変更フィールドと異なる場合、
−前記第２の基地局により送信されたオーバーランフィールドが、前記システム値変更フィールドのオーバーランを示す場合、
のうちの少なくとも１つの場合に、前記第２の基地局により送信された完全なエリアシステム情報を処理するように構成される、請求項１に記載の無線端末（ＵＥ）。
【請求項３】
前記無線端末が、前記第１の基地局（ＢＳ１）から第２の基地局（ＢＳ２）へのセル再選択を実行したとき、
−前記第１の基地局から受信した格納されているエリアシステム情報に関連する表示を含む、エリアシステム情報の専用送信要求を前記第２の基地局に送信し、
−前記表示のある格納されているエリアシステム情報と、前記第２の基地局からの実際のシステム情報の差を含む送信を検索して処理する
ように構成される、請求項１又は２に記載の無線端末（ＵＥ）。
【請求項４】
エリアシステム情報の前記専用送信要求は、前記無線端末が、
ａ）前記エリア（Ａ１、Ａ２）の変更、又は
ｂ）エリアシステム情報の一般システム情報（ＳＩ１、ＳＩ２、ＳＩ３）からの変更
のうちの少なくとも１つに直面した場合にのみ送信される、請求項３に記載の無線端末（ＵＥ）。
【請求項５】
前記システム値変更フィールドがエリアシステム情報の値の変更を示している場合に、前記プロセッサが、後で送信されたエリアシステム情報を処理するように構成され、前記処理が、
−前記システム値変更フィールドから複数の変更を決定すること、
−前記処理されたエリアシステム情報を、前記格納されているエリアシステム情報と比較すること、
−処理されたシステム情報と前記格納されているエリアシステム情報の差の数が、検索された変更の数を補完する場合に復号を停止すること
を含む、請求項１乃至４のいずれか一項に記載の無線端末（ＵＥ）。
【請求項６】
前記エリア識別子及びオーバーランフィールドのうちの少なくとも１つが前記エリアシステム情報の変更を示す場合に、前記プロセッサが、前記完全なエリアシステム情報を復号することによって、後で送信されたエリアシステム情報を処理するように構成される、請求項１乃至５のいずれか一項に記載の無線端末（ＵＥ）。
【請求項７】
無線通信のためのセルラネットワーク（ＣＮ）の基地局（ＢＳ１、ＢＳ２、ＢＳ３）であって、前記基地局が送信回路を備え、前記送信回路が１組のシステム情報を前記基地局で動作する無線端末（ＵＥ）に送信するように構成され、
前記１組のシステム情報がエリア関連システム情報ブロック及び非エリアシステム情報に分割され、前記エリア関連システム情報ブロックが、前記基地局及び少なくとも１つの他の基地局によりカバーされるローカルエリア（Ａ１、Ａ２）用に確保され、
少なくとも１つのシステム情報ブロックが、
−前記セルラネットワークの全てのエリア内で一意のエリア識別子と、
−前記少なくとも１つのエリアシステム情報ブロックのデータフィールドの値の変更を示すシステム値変更フィールドと、
−システム値変更フィールドのオーバーランを示すオーバーランフィールドと
を含む基地局（ＢＳ１、ＢＳ２、ＢＳ３）。
【請求項８】
さらに、無線端末（ＵＥ）からの要求を受信したときにエリアシステム情報を提供するように構成され、以前に送信されたエリアシステム情報との差が、前記受信した要求に含まれるエリア識別子及び前記基地局に割り当てられたエリア識別子を考慮して提供される、請求項７に記載の基地局（ＢＳ１、ＢＳ２、ＢＳ３）。
【請求項９】
マスターシステム情報ブロックを含むフレーム構造のデータを送信するようにさらに構成され、前記マスター情報ブロックが、前記システム情報（ＳＩ１、ＳＩ２、ＳＩ３）のどの部分が前記エリアシステム情報の一部であるかを示す少なくとも１つのデータフィールドを含む、請求項７又は８に記載の基地局（ＢＳ１、ＢＳ２、ＢＳ３）。
【請求項１０】
複数の基地局（ＢＳ１、ＢＳ２、ＢＳ３）を有するセルラネットワーク（ＣＮ）で動作する無線端末（ＵＥ）によりシステム情報を読み込む方法であって、前記方法が、
−前記無線端末が現在キャンプオン中の前記基地局から、それぞれが前記基地局により送信され、前記基地局及び少なくとも１つの他の基地局によりカバーされたローカルエリア（Ａ１、Ａ２）に共通のエリアシステム情報を含む第１のシステム情報の組を受信するステップと、
−前記システム情報を格納するステップと、
−前記システム情報と共に送信されたエリアの変更を示すエリア識別子、
−前記システム情報と共に送信されたシステム情報値の値の変更を示すシステム値変更フィールド、又は
−前記システム情報と共に送信された前記システム値変更フィールドのオーバーランを示すオーバーランフィールド
を検出した場合にのみ、後で送信されたエリアシステム情報を処理するステップと、
を含む方法。
【請求項１１】
現在の基地局（ＢＳ１）から第２の基地局（ＢＳ２）へのセル再選択を実行し、
−前記第２の基地局により送信されたエリア識別子が、前記システム情報の組と共に以前に受信されたエリア識別子と異なる場合、
−前記第２の基地局により送信されたシステム値変更フィールドが、前記システム情報の組と共に以前に受信されたシステム値変更フィールドと異なる場合、
−前記第２の基地局により送信されたオーバーランフィールドが、前記システム値変更フィールドのオーバーランを示す場合、
のうちの少なくとも１つの場合に、前記第２の基地局により送信された完全なエリアシステム情報を復号するステップを含む、請求項１０に記載の方法。
【請求項１２】
前記システム値変更フィールドがエリアシステム情報の値の変更を示している場合に、前記方法が、
−前記システム値変更フィールドから複数の変更を決定すること、
−前記処理されたエリアシステム情報を、前記格納されているエリアシステム情報と比較すること、及び
−処理されたシステム情報と格納されているエリアシステム情報の差の数が、検索された変更の数を補完する場合に復号を停止すること
によって、後で送信されたエリアシステム情報を処理することを含む、請求項１０又は１１に記載の方法。
【請求項１３】
セルラネットワークの一部である基地局（ＢＳ１、ＢＳ２、ＢＳ３）によりシステム情報を送信する方法であって、前記方法が、１組のシステム情報を前記基地局で動作する無線端末（ＵＥ）に送信するステップを含み、前記１組のシステム情報がエリア関連システム情報ブロック及び非エリアシステム情報に分割され、前記エリア関連システム情報ブロックが前記基地局及び少なくとも１つの他の基地局によりカバーされるローカルエリア（Ａ１、Ａ２）用に確保され、少なくとも１つのシステム情報ブロックが、
−前記セルラネットワーク（ＣＮ）の全てのエリア内で一意のエリア識別子と、
−前記少なくとも１つのエリアシステム情報ブロックのデータフィールドの値の変更を示すシステム値変更フィールドと、
−システム値変更フィールドのオーバーランを示すオーバーランフィールドと
を含む方法。
【請求項１４】
前記システム値変更フィールドが、前記エリアシステム情報ブロックのデータフィールドの各変更をカウントしている、請求項１３に記載の方法。
【請求項１５】
請求項７に記載の複数の基地局（ＢＳ１、ＢＳ２、ＢＳ３）と、１つのエリアに属する前記基地局のうちの少なくとも２つを制御するように構成された少なくとも１つのモビリティ管理エンティティとを有するセルラネットワーク（ＣＮ）であって、
前記モビリティ管理エンティティが、エリアシステム情報の変更を指定する場合に、指定した変更時間を前記基地局に示すように構成されるセルラネットワーク（ＣＮ）。
【請求項１６】
前記指定した変更時間がブロードキャスト変更期間の始まりを示す、請求項１５に記載のセルラネットワーク（ＣＮ）。
【発明の詳細な説明】
【技術分野】
【０００１】
本発明はセルラネットワークで動作する無線端末に関する。本発明はまた、上記セルラネットワークの基地局に関する。
【０００２】
本発明はさらに、そのような無線端末を操作する方法に関する。
【０００３】
本発明はまた、そのような基地局を操作する方法に関する。
【背景技術】
【０００４】
セルラ無線通信の分野において、技術標準は、具体的には低コストデバイスと見なされるマシン型通信（ＭＴＣ）デバイスを専用にサポートする方向にさらに進化しつつある。これらのデバイスは、ＬＴＥや５Ｇなどの最新世代のセルラネットワークで動作可能であるが、ハードウェア資源の面で各基地局、具体的にはｅＮｏｄｅＢで完全に動作する能力を有してはいない。
【０００５】
また、このようなＭＴＣデバイスは限られた電源で動作することが多いため、一般的な携帯電話機と比べてアクティブなｅＮｏｄｅＢとのシグナリングを低減させなければならない。
【０００６】
想定される目的を支持することが期待される一部の提案は、基地局によってシステム情報ブロック（ＳＩＢ）でブロードキャストされるシステム情報が、ブロードキャストするｅＮｏｄｅＢそのものに関係しているだけでなく、そのセルカバレッジ領域がエリアを形成する複数の基地局に専用の部分を含むことである。このようなエリアシステム情報は、特にそのエリアの全ての基地局に共通の情報をブロードキャストすることが想定される。したがって、１つのセルでＳＩＢを読み込み、同じエリアの別のセルに移動する無線端末は、エリアＳＩＢの変更を通知する表示が存在しない限り、エリア関連部分を読み込む必要がない。
【０００７】
このため、３ＧＰＰ Ｒ２−１６１１４０ Ｓｙｓｔｅｍ Ｉｎｆｏｒｍａｔｉｏｎ Ａｒｅａ Ｓｃｏｐｅ ａｎｄ Ｖａｌｕｅ Ｔａｇ（３ＧＰＰ ＴＳＧ ＲＡＮ ＷＧ２の貢献）などの提案は、識別子、具体的にはエリアＳＩＢの少なくとも１つのフィールドが変化したときにインクリメントされるエリア識別子（エリアＩＤ）を提案する。
【０００８】
一方でこの解決策の欠点は、この方法によって、異なるエリアが同一のエリアＩＤを有する可能性があり、これにより異なるセルエリアに移動した休止中の無線端末に望ましくない効果が及ぶことである。さらに、無線端末、特に長い休止時間が提案されているＭＴＣ装置がスリープモードにある場合、多くのエリアＳＩＢ変更が生じた場合に変更を見逃す可能性があるため、エリアＩＤは無線端末のスリープ状態においてオーバーランする可能性がある。
【０００９】
さらにこれは、エリアＩＤがそれぞれ変化することによって無線端末がエリアＳＩＢを完全に読み込むことを余儀なくされる状況をもたらす。ここで変化が多いと、事実上、エリアＳＩＢ定義がない場合よりＳＩＢを読み込んで復号するための労力が大きくなる。
【発明の概要】
【発明が解決しようとする課題】
【００１０】
したがって、本発明の目的は、上述の欠点を克服し、無線端末、特にハードウェア資源の少ないＭＴＣ無線端末のための改善されたＳＩＢ検索のための解決策を提案することである。したがって、別の代替的かつ有利な解決策も当技術分野において望ましい。
【課題を解決するための手段】
【００１１】
このため、本発明の第１の態様によると、請求項１に記載の無線端末が提案される。さらに、本発明の第２の態様によると、請求項７に記載の基地局が提案される。本発明の第３の態様によると、請求項１０に記載の無線端末を操作する方法が提案される。本発明の第４の態様によると、請求項１３に記載の基地局を操作する方法が提案される。本発明の第５の態様では、請求項１５に記載のセルラネットワークが提案される。
【００１２】
したがって、本発明の第１の態様によると、複数の基地局を有するセルラネットワークで動作する無線端末であって、無線端末がトランシーバと、少なくとも１つのプロセッサと、メモリとを備え、トランシーバが１組のシステム情報を受信するように構成され、基地局によりそれぞれ送信されたシステム情報のそれぞれが、基地局の１つにより送信されたエリアシステム情報を含み、エリアシステム情報が、上記基地局及び少なくとも１つの他の基地局によりカバーされるローカルエリアに共通であり、プロセッサが、受信したエリアシステム情報を上記メモリに格納するように構成され、無線端末のプロセッサがさらに
−システム情報と共に送信されたエリアの変更を示すエリア識別子、
−システム情報と共に送信されたシステム情報値の値の変更を示すシステム値変更フィールド、又は
−システム情報と共に送信されたシステム値変更フィールドのオーバーランを示すオーバーランフィールド
を検出した場合にのみ、後で送信されたエリアシステム情報を処理するように構成される無線端末が提案される。
【００１３】
本発明は、例えば３Ｇ、４Ｇ又はそれ以降の既知の無線技術標準の１つに従ってセルラネットワークで通信する無線端末に関する。無線端末は、エアインターフェイスを介してセルラネットワークの基地局、すなわちｅＮｏｄｅＢと通信するために必要な回路を備える。これは特に受信及び送信機能を備えたトランシーバ回路を備える。回路によって、送信回路及び受信回路の別の構造設計も本発明の無線端末により包含される。
【００１４】
無線端末、すなわちそのトランシーバは、基地局からの送信を受信して処理するように構成される。典型的には、基地局は無線端末に情報をブロードキャストする。ブロードキャストされた情報を受信するために、一般的には基地局にキャンプオンする、又はセルラネットワークに登録される必要はないが、幾つかのブロードキャストについては基地局にキャンプオンすることが有利である。
【００１５】
ブロードキャストは、一般的には共有チャネルである特別なブロードキャストチャネルで実行されることが好ましい。システム情報の専用送信又はオンデマンドプロビジョニングの場合、専用チャネルが選択されることが好ましい。好ましくは専用送信を使用して、システム情報は無線端末の要求によって、すなわち無線端末からの要求に応じて提供される。
【００１６】
ブロードキャストチャネルの一部として、システム情報が複数のシステム情報ブロック（ＳＩＢ）で送信される。各システム情報ブロックは、各標準に従って定義された１組のデータフィールドを有する。
【００１７】
システム情報は、無線端末に少なくともセルラネットワーク、セル及びセルの周囲に関連する情報を提供する。
【００１８】
システム情報に含まれるデータフィールドの一部は、基地局によって用意された少なくとも２つのセルを含むエリアに関連する。このようなエリアシステム情報は、エリアの全てのセルに共通である。つまり以前にアクティブであった基地局が属するのと同じエリアの別の基地局に対する無線端末のセル再選択の場合、一般にエリアシステム情報を再読み込みする必要がない。
【００１９】
エリアシステム情報の典型的な例は、基地局が動作しているエリアのタイプとの関係が異なるものである。特に都市部にある基地局は農村地域にある基地局と比べて大いに異なる特性を有する。都市部にある基地局は、面積が小さいがサービスを提供する無線端末の数がより多いサービスエリアをカバーしなければならないため、大きいセルエリアをカバーする地方の基地局の場合のようにカバレッジが最適化されるのではなく、処理能力が最適化される必要がある。したがって、通常のＤＲＸサイクル、ＲＡＣＨ電力、最大許容送信電力、最低受信レベル、ＭＩＭＯ割り当て、さらにサポートされるカバレッジ拡張レベルに関連するシステム情報は都会と農村地域で著しく異なるものの、そのエリアタイプ内では依然として酷似している。
【００２０】
このコンセプトは、特に静止状態又は少なくとも準静止状態で動作している無線端末が電力消費状態を改善する方法で動作しているという利点を有する。
【００２１】
しかし、エリアシステム情報も変化する可能性がある状況がある。その場合、無線端末はエリアシステム情報も受信して処理しなければならない。
【００２２】
エリアシステム情報が無線端末により処理されているかどうかは、セル再選択の場合に差し迫った問題となるが、無線端末が現在キャンプオン中の基地局に留まる場合も同様である。
【００２３】
したがって本発明に係る無線端末は、エリアシステム情報全体ではなく、好ましくはシステム情報ブロック内に隣接して位置する少なくとも以下のシステム情報フィールド、すなわち
−エリア識別子、
−エリア関連システム値変更フィールド、
−オーバーランフィールド
を定期的に読み込んで処理するように構成される。
【００２４】
これらの３つのシステム情報フィールドはエリアに関連するものであるが、エリアシステム情報が前述の条件下でのみ処理されるのに対し、これらを定期的に処理するために、一般的な、すなわち非エリア関連システム情報の一部として提供することが有利である。
【００２５】
エリア識別子は、現在セルが属しているエリアを特定する識別子である。好ましくは、エリア識別子はセルラネットワーク内で一意である。
【００２６】
これは特に、無線端末がシステム情報を受信しないスリープモードで動作し、その間に別のエリアに移動する可能性があることから有利である。そうでない場合、無線端末が異なるエリアシステム情報を有して別のエリアでウェイクアップする可能性があるが、エリア識別子が同じであるために予測不可能な挙動がもたらされる。
【００２７】
無線端末は、エリア識別子が変わったことを検出した場合は、完全なエリアシステム情報を読み込んで処理しなければならない。
【００２８】
通常これは、セル変更だけでなく、セルの別のエリアへの再割り当てがエリア識別子変更を引き起こす可能性がある場合、又は無線端末が空間的変化に気付かずにスリープモードからウェイクアップした場合に起こっている。システム情報が基地局によってオンデマンドで提供される場合、無線端末はエリアシステム情報を要求しなければならない。基地局は、要求された情報を専用のシグナリングを介して提供し、要求が現在のエリア識別子を含む可能性があるより進んだ例では、基地局はこの要求に応じて、更新を含む関連する２組の間の差だけを提供することができる。
【００２９】
システム情報と共に送信されたシステム値変更フィールドは、エリアシステム情報のいかなる変更も示す。システム情報ワイドシステム値変更フィールドと同様に、このフィールドはエリアシステム情報の変更を示す。ただし１つの基地局に縛られないが、エリア関連システム情報に変更が生じている場合は、エリア関連システム値変更フィールドは、そのエリアの全ての基地局について増加する。
【００３０】
さらに、そのエリアの全ての基地局を通じて、システム値変更フィールドの同じ値を維持することが好ましい。
【００３１】
この値を適切に処理するために、無線端末は、以前に受信したエリア関連システム値変更フィールドをそのメモリに格納し、現在受信しているシステム値変更フィールドを定期処理するときに、前回受信した値を現在受信している値と比較することが好ましい。２つの値が異なる場合、無線端末は実際のエリアシステム情報を読み込んで処理しなければならない。
【００３２】
システム値変更フィールドについて、最大値を決定する所与のビットサイズが想定される。長時間スリープモードで動作し、この間システム情報を検索しない無線端末が存在することによって、システム情報と共に送信されたシステム値変更フィールドが無線端末のスリープ期間中に変わってしまい、スリープモードに移行する前に無線端末に格納されているものと同じシステム値変更フィールドの値が提供されることが頻繁に起こり得る。
【００３３】
この状況の無線端末は、膨大な数の値の変更が起こっても結果的にエリアシステム情報を処理しない。
【００３４】
このような状況を回避するために、追加のオーバーランフィールドが導入される。これは、システム値変更フィールドが最大値から最小値に変化すると、セット、すなわち増加される。このフィールドがセットされると、無線端末は変更があったことを知り、エリアシステム情報を処理することになる。
【００３５】
本発明によると、無線端末は、エリア関連システム情報を利用すると同時に、システム情報を処理するために電力資源を最小限に抑えることができる。さらに、このような本発明の無線端末が、ＭＴＣデバイスには一般的なより長い休止サイクルを、エリアシステム情報の変更を見逃すことなく実行できるように安全手段が導入される。
【００３６】
具体的には、無線端末はサービス停止状態を実行するように構成され、プロセッサは、さらに無線端末が所定の期間後にサービス停止状態からウェイクアップした場合に、上記エリアシステム情報を処理するように構成されることが提案される。
【００３７】
したがって無線端末は、今までに知られているように長いスリープ状態を実行することが許されている。このスリープ、すなわちサービス停止状態は、具体的には無線端末がシステム情報を処理しないことを意味する。上記の安全手段は、サービス停止状態の後、無線端末が最新のエリアシステム情報で動作していることを既にかなりの程度まで保証しているが、長いスリープ状態後にエリア関連システム値変更フィールド及びオーバーランフィールドが、エリアシステム情報がサービス停止状態の間に変わったかどうかの確かな表示を行わない可能性が依然としてあり得る。
【００３８】
したがって、この実施形態によって、エリアシステム情報の最後の処理から所定期間が経過した場合に、エリア識別子、システム値変更フィールド、及びオーバーランフィールドの値にかかわらず、完全なエリアシステム情報が再度読み込まれて処理されることが提案される。
【００３９】
この手段によって、一方では常に最新のエリアシステム情報が利用できることが保証され、他方で無線端末は、できる限り多くのエリアシステム情報を処理するために資源を節約することができる。
【００４０】
別の好ましい実施形態では、無線端末は現在の基地局から第２の基地局へのセル再選択を実行するように構成され、プロセッサは、
−第２の基地局により送信されたエリア識別子が、上記格納されているシステム情報の組と共に受信されたエリア識別子と異なる場合、
−第２の基地局により送信されたシステム値変更フィールドが、上記格納されているシステム情報の組と共に受信されたシステム値変更フィールドと異なる場合、
−第２の基地局により送信されたオーバーランフィールドが、システム値変更フィールドのオーバーランを示す場合、
のうちの少なくとも１つの場合に、第２の基地局により送信された完全なエリアシステム情報を処理するように構成されることが提案される。
【００４１】
この実施形態によって、エリアシステム情報は、無線端末が既知のシステム情報処理の手順と比べてシステム情報処理のための電力を節約するのに役立つことが明らかになる。既知の状況は、別の基地局への再選択後に、無線端末が完全なシステム情報の組を処理しなければならないことである。このため、再選択は無線端末の電力消費の面で幾つかの欠点を有する。これは具体的には、例えばより良好なカバレッジ拡張レベル又は他の電力関連パラメータに起因して消費電力の低減を可能にする基地局で動作するためにセル再選択が実行されるときの問題である。
【００４２】
エリアシステム情報の定義によって、基地局のグループについてこのシステム情報の組は同一である。したがってセル再選択の後、無線端末はまず、新しい、すなわち第２の基地局が、以前にアクセスしていた、すなわち第１の基地局と同じエリアに割り当てられているかどうかをチェックする。このステップは、第２の基地局のエリア識別子が第１の基地局のエリア識別子と異なるかどうかをチェックすることによって実行される。
【００４３】
第２の基地局のエリア識別子が第１の基地局のエリア識別子と異なる場合、エリアシステム情報を処理する必要がある。そうでない場合、第２の基地局のエリアシステム情報は一般に第１の基地局のエリアシステム情報と比べて変わらないと考えられ、処理する必要がない。これによって、セル変更を行う無線端末にとても大きな節電効果がもたらされる。
【００４４】
それでもなお、セル再選択手順の間にエリアシステム情報が変わってしまう可能性がある。そのような状況には、システム情報と共に送信されたエリア関連システム値変更フィールドをさらにチェックすることが提案される。第２の基地局のエリア関連システム値変更フィールドは、エリアシステム情報に変更が生じない限り第１の基地局のエリア関連システム値変更フィールドと同じ値を有するはずである。ここで変更が検出された場合は、エリアシステム情報を再度処理する必要がある。実際、これはセル再選択の電力消費の面における欠点ではない。すなわち、第２の基地局が第１の基地局と同じエリアに属している場合は、セル再選択が実行されたとしても、エリア関連システム情報を第１の基地局についても処理する必要があるため無線端末にとっては違いがない。これは、そのエリアの全ての基地局に影響を及ぼすエリアシステム情報に変更があったために、セル再選択を実行したか否かにかかわらず、全ての無線端末がエリアシステム情報を処理する必要があるような場合である。
【００４５】
さらに、スリープモード、すなわちサービス停止状態からのウェイクアップ後にセル再選択が可能である。このような場合、エリアシステム情報のためのシステム値変更フィールドが、オーバーフローにより多くの変更が生じたにもかかわらず変更を示さないという上記と同じ状況になる可能性がある。これは本実施形態によると、オーバーランフィールドでカバーされる。オーバーランフィールドがセットされた場合、第２の基地局により提供されるエリアシステム情報は完全に処理される必要がある。
【００４６】
本実施形態によって、本発明の節電効果は、スリープ状態後にもセル再選択を実行する無線端末の場合にさらに高まる。
【００４７】
代替的又は付加的な実施形態において、無線端末は、第１の基地局から第２の基地局へのセル再選択を実行したとき、
−第１の基地局から受信した格納されているエリアシステム情報に関連する表示を含む、エリアシステム情報の専用送信要求を第２の基地局に送信し、
−上記表示のある格納されているエリアシステム情報と、第２の基地局からの実際のシステム情報の差を含む送信を検索して処理する、ように構成される。
【００４８】
この有利な実施形態によると、システム情報、具体的にはエリアシステム情報は、ブロードキャストで提供されるだけでなく、専用シグナリングにより、具体的にはオンデマンドで提供できることが想定される。これは、ブロードキャストシグナリングを許容しないほどの高周波域で動作している、スタンダードになりつつある基地局に適用されてよい。無線端末が、以前にアクセスしていた基地局と同じエリアで動作しているそのような基地局への再選択を実行している場合は、本発明のアイデアは同様に適用可能とする。これは、以前にアクセスしていた基地局から検索されたエリアシステム情報に関連する表示を含む、無線端末から基地局へのエリアシステム情報の送信要求によって達成される。
【００４９】
そして基地局は、当該表示、具体的にはエリア識別子及びシステム値変更フィールドをチェックし、その間に生じた差をチェックするように構成される。これは１つのエリアの全ての基地局のエリアシステム情報が等しくかつ同期されているために可能である。
【００５０】
新しい基地局が異なるエリアに属する場合でも、基地局が、そのエリアのエリアシステム情報と無線端末からの要求に示されたエリアのエリアシステム情報の差を知る可能性がある。
【００５１】
基地局はさらに、差をチェックした後に、基地局の表示されたシステム情報と実際のシステム情報の差を含む応答メッセージを無線端末に送信するように構成される。
【００５２】
次に無線端末は検索されたエリアシステム情報を処理することになる。
【００５３】
好ましくは、特に接続中に、無線端末はシステム情報への変更が生じたかどうかを基地局に定期的に要求する。
【００５４】
基地局がシステム情報をブロードキャスト可能な場合、無線端末は、エリアシステム情報のオンデマンド要求が必要かどうかを知るために、エリア識別子、システム値変更フィールド、及びオーバーランフィールドを調べれば十分である。
【００５５】
この実施形態は、ブロードキャスト量を削減し、必要なときに関連するエリアシステム情報を提供するため有利である。特に無線端末は、スリープモードで動作する場合、ウェイクアップ後すぐに最も正確なエリアシステム情報を要求することができる。
【００５６】
実際、無線端末は、既知のメカニズムによる場合よりさらに迅速にシステム情報を検索する。
【００５７】
好ましい実施形態によると、エリアシステム情報の専用送信要求は、無線端末が、
ａ）エリアの変更、又は
ｂ）エリアシステム情報の一般的なシステム情報からの変更
のうちの少なくとも１つに直面した場合にのみ送信されることが提案される。
【００５８】
この好適な実施形態は、エリアシステム情報のオンデマンドプロビジョニングが、必要とされる場合にのみ生じていることを含む。これは、前述の２つの状況のうちの１つに直面した場合に、システム情報の要求が役立つことを意味する。実際、この実施形態は無線端末の電力消費を削減し、基地局の混雑状態を緩和する。
【００５９】
具体的には、エリア又はエリアシステム情報の変更の検出は、提供された一般的なシステム情報を通じて取得された情報に基づく。そのような一般的なシステム情報は、具体的にはＬＴＥ技術標準をサポートする無線アクセスネットワークのｅＮｏｄｅＢの中心ブロックであるマスター情報ブロック（ＭＩＢ）の一部として提供されてよい。
【００６０】
別の好ましい実施形態では、システム値変更フィールドがエリアシステム情報の値の変更を示している場合に、プロセッサは、後で送信されたエリアシステム情報を処理するように構成され、処理が
−システム値変更フィールドから複数の変更を決定すること、
−処理されたエリアシステム情報を、格納されているエリアシステム情報と比較すること、
−処理されたシステム情報と格納されているエリアシステム情報の差の数が、検索された変更の数を補完する場合に復号を停止すること
を含むことが提案される。
【００６１】
この実施形態は、システム値変更フィールドに関連するさらに有利な改善に関する。この実施形態によると、システム値変更フィールドは、エリアシステム情報の変更が行われたことだけでなく、そのような変更がどの程度まで生じたかも示す。換言すれば、一定数のエリアシステム情報フィールドについて、１つの変更がブロードキャスト変更期間中に生じた場合は、システム情報と共に送信されたエリア関連システム値変更フィールドは、ちょうど影響を受けたエリアシステム情報フィールドの数だけ増加する。
【００６２】
これは、システム値変更フィールドを介して表示を受け取った無線端末について、現在アクティブな基地局のエリアシステム情報を処理することになっていること、以前に処理され格納されているエリアシステム情報と比較したさらなる変更がまだ処理されていない限り、エリアシステム情報を処理するだけでよいことを意味する。
【００６３】
その結果、無線端末の処理ステップはまず、好ましくは以前に読み込まれたシステム値変更フィールドと現在受信されているシステム値変更フィールドの簡単な減算によって変更の数を特定する。次に、処理中に復号された各フィールドについてのエリアシステム情報の処理中に、格納されているエリアシステム情報との比較が実行される。変更が検出されるとすぐに、新しい値が格納され、検出された変更の数が想定されている変更の数と比較される。全ての変更が生じていた場合、つまり表示された変更の数が検出された変更の数と等しい場合、復号は停止する可能性があり、エリアシステム情報の残りの部分は変更されていないと想定され、つまりこれ以上処理が行われない。
【００６４】
好ましくは、この実施形態は他の非エリア関連システム情報フィールドにも適用可能である。
【００６５】
この実施形態によって、エリアシステム情報の変更の場合であっても、さらなる節電を達成できることは明らかである。スリープモード中にエリアシステム情報フィールドの値が一旦変わり、二度目に以前の値に戻った場合、無線端末はこの変更を検出せず、システム値変更フィールドが示した２つの変更を見逃すが、これらの場合の無線端末は、実際に必要とされるより多くの電力資源が必要とされるが、エリアシステム情報を完全に処理し、依然として最新であるため影響は少ない。このようなケースはまれであるため、この欠点は対処可能である。
【００６６】
エリア識別子及びオーバーランフィールドのうちの少なくとも１つがエリアシステム情報の変更を示す場合に、プロセッサは、完全なエリアシステム情報を復号することによって後で送信されたエリアシステム情報を処理するように構成されることがさらに提案される。
【００６７】
前述の実施形態とは異なるこの実施形態によると、特にセル再選択によるエリア識別子の変更、又はシステム値変更フィールドのオーバーランの場合に、エリアシステム情報の完全な処理が提案される。
【００６８】
したがって、無線端末は常に正確なエリアシステム情報を利用できることが保証される。
【００６９】
本発明の第２の態様によると、無線通信のためのセルラネットワークの基地局であって、基地局が送信回路を備え、送信回路が１組のシステム情報を上記基地局で動作する無線端末に送信するように構成され、
前記１組のシステム情報がエリア関連システム情報ブロック及び非エリアシステム情報に分割され、エリア関連システム情報ブロックが上記基地局及び少なくとも１つの他の基地局によりカバーされるローカルエリア用に確保され、少なくとも１つのシステム情報ブロックが、
−セルラネットワークの全てのエリア内で一意のエリア識別子と、
−少なくとも１つのエリアシステム情報ブロックのデータフィールドの各変更をカウントするためのシステム値変更フィールドと、
−システム値変更フィールドのオーバーランを示すためのオーバーランフィールドと
を含む基地局が提案される。
【００７０】
本発明のこの第２の態様は、本発明の第１の態様に係る無線端末の無線通信用のエアインターフェイス上にある対応物である基地局に関する。
【００７１】
基地局は、複数の無線端末と無線通信するための送受信回路を備える。基地局はさらに、好ましくは有線固定接続を介して他のセルラネットワーク要素に接続される。
【００７２】
送受信回路によって、セルのサービスエリアはカバーされ、セルエリアに位置する無線端末からの信号が基地局により復号可能とされる。
【００７３】
本発明に係る基地局は、同じセルラネットワーク、好ましくはセルラネットワークの同じ無線アクセスネットワークの少なくとも１つの他の基地局と共に、セルの１つのエリアに割り当てられる。
【００７４】
モビリティ管理エンティティ（ＭＭＥ）のような別のネットワーク要素によって、１つのエリアの基地局は、そのエリアに共通のシステム情報を備える。したがって、１つのエリアに割り当てられた全ての基地局が、同じエリアシステム情報を送信する、すなわちブロードキャストチャネルでブロードキャストする。好ましくは、システム情報はシステム情報ブロック（ＳＩＢ）で送信される。
【００７５】
本発明のこの態様に係る基地局により送信されたエリアシステム情報は、エリア識別子と、エリアシステム情報の変更を示すシステム値変更フィールドと、システム値変更フィールドのオーバーランを示すオーバーランフィールドとを含む１つのエリアシステム情報ブロックを提供する。
【００７６】
このような各エリアシステム情報ブロックのデータフィールドは、上記基地局にキャンプオンしている各無線端末により処理されることになっている。これによって無線端末は、本発明の第１の態様について記載したように、エリアシステム情報ブロックの残りの部分を処理する必要があるか否かを決定する立場にある。実際、本発明の基地局の挙動によって、このような基地局で動作する無線端末は、基地局で動作するための電力消費を低減することができる。さらに基地局は、無線端末が一定期間スリープすなわちサービス停止モードに移行しても、ウェイクアップ後にすぐに最新の状態になることを可能にする。これによって基地局の混雑状態が緩和され、さらに各エリアについてのＭＴＣデバイス特有のアクセス規制などの全ての関連情報が、サービスを受ける無線端末において時間内に利用できることが保証される。
【００７７】
別の好ましい実施形態によると、基地局はさらに、無線端末からの要求を受信したときにエリアシステム情報を提供するように構成され、以前に送信されたエリアシステム情報との差が、上記受信した要求に含まれるエリア識別子及び上記基地局に割り当てられたエリア識別子を考慮して提供されることが提案される。
【００７８】
この実施形態によると、基地局はオンデマンドでのエリアシステム情報の提供を申し出ることになっている。したがって、無線端末が基地局に要求を送信し、これに対して動作中のエリアについてのエリアシステム情報を受信するとみられる。好ましくは、無線端末は、例えば同じエリアの別の基地局から以前に受信したエリアシステム情報に関連する表示を行う。これによって基地局は、その後何が変わったかを知ることができる。そのため好ましくは、基地局は無線端末からシステム値変更フィールドに関連するパラメータを受信する。これにより基地局は、現在のエリアシステム情報との差を決定し、これに応答してこれらの差を提供することができる。
【００７９】
好ましくは、無線端末による要求は、エリア及び非エリアシステム情報を１つの結合ステップで要求する。
【００８０】
この実施形態は、セル再選択の後もシステム情報を交換するためのシグナリング量を削減するため有利である。さらに無線端末は、スリープ期間の後必要な場合に現在のエリアシステム情報で更新されてよい。
【００８１】
好ましい実施形態によると、基地局はさらに、システム値変更フィールドが上記エリアシステム情報ブロックのデータフィールドの各変更をカウントしているように構成される。
【００８２】
エリアシステム情報の各変更を含むシステム値変更フィールドをインクリメントすることによって、エリアシステム情報を検索する無線端末がエリアシステム情報を処理するための電力消費を低減することができる。ブロードキャスト変更期間中に、エリアシステム情報について複数の変更が行われる可能性がある。変更が生じなかった場合、システム値変更フィールドは変わらず、キャンプオン中の無線端末はエリアシステム情報を読み込んで処理する理由がない。
【００８３】
１つの変更が生じると、システム値変更フィールドは１増加し、無線端末は、エリアシステム情報の以前の処理と比較した１つの変更が検出された後に処理を停止する機会を得る。同じことは、基本的に２つ以上の変更の場合にも適用される。なぜなら、システム値変更フィールドは変更の数だけ増加し、無線端末は想定される変更の数が検出された後に読み込みを停止することができるためである。
【００８４】
別の好ましい実施形態によると、基地局は、マスターシステム情報ブロックを含むフレーム構造のデータを送信するように構成され、マスター情報ブロックは、システム情報のどの部分がエリアシステム情報の一部であるかを示すデータフィールドを含む。
【００８５】
この実施形態は、特にＬＴＥ技術標準に適合した基地局に当てはまる。ここでフレーム構造は、マスター情報ブロック（ＭＩＢ）を対応する周波数範囲の中心に含む。このマスター情報ブロックは、具体的にはシステム情報が送信されるブロードキャストチャネルを含む。したがって、エリアシステム情報の範囲にシステム情報フィールドすなわちブロックをより柔軟に割り当てるために、どのシステム情報がエリアシステム情報であるか、及びどれがセルベースのシステム情報であるかを示す少なくとも１つのデータフィールドをＭＩＢに提供することが提案される。したがって、セルラネットワークを介したエリアシステム情報の割り当ては変化する可能性があるが、１つのエリアの基地局はその意味で同じ特徴を有することが好ましい。
【００８６】
この実施形態はさらに柔軟性を与えるとともに、本発明の特徴を実際に利用可能な無線端末の移動経路をも導入する。エリア関連かそうでないかにかかわらずシステム情報を永久処理する、既知のように動作する無線端末も、関連情報を検索するが、同じ情報を同時に利用可能にするために消費電力の価格がはるかに高い。
【００８７】
本発明の第３の態様によると、複数の基地局を有するセルラネットワークで動作する無線端末によりシステム情報を読み込む方法であって、方法が、
−無線端末が現在キャンプオンしている基地局から、それぞれが基地局により送信され、上記基地局及び少なくとも１つの他の基地局によりカバーされたローカルエリアに共通のエリアシステム情報を含む第１のシステム情報の組を受信するステップと、
−上記システム情報を格納するステップと、
−システム情報と共に送信されたエリアの変更を示すエリア識別子、
−システム情報と共に送信されたシステム情報値の値の変更を示すシステム値変更フィールド、又は
−システム情報と共に送信されたシステム値変更フィールドのオーバーランを示すオーバーランフィールド
を検出した場合にのみ、後で送信されたエリアシステム情報を処理するステップと、
を含む方法が提案される。
【００８８】
この態様は本発明の第１の態様の利点を共有する。
【００８９】
本発明の第４の態様によると、セルラネットワークの一部である基地局によりシステム情報を送信する方法であって、方法が、１組のシステム情報を上記基地局で動作する無線端末に送信するステップを含み、１組のシステム情報がエリア関連システム情報ブロック及び非エリアシステム情報に分割され、エリア関連システム情報ブロックが上記基地局及び少なくとも１つの他の基地局によりカバーされるローカルエリア用に確保され、少なくとも１つのシステム情報ブロックが、
−セルラネットワークの全てのエリア内で一意のエリア識別子と、
−少なくとも１つのエリアシステム情報ブロックのデータフィールドの値の変更を示すシステム値変更フィールドと、
−システム値変更フィールドのオーバーランを示すためのオーバーランフィールドと
を含む方法が提案される。
【００９０】
この態様は本発明の第２の態様の利点を共有する。
【００９１】
本発明の第５の態様によると、本発明の第２の態様に係る複数の基地局と、１つのエリアに属する少なくとも２つの基地局を制御するように構成された少なくとも１つのモビリティ管理エンティティとを有するセルラネットワークであって、モビリティ管理エンティティがエリアシステム情報の変更を指定する場合に指定した変更時間を上記基地局に示すように構成されたセルラネットワークが提案される。
【００９２】
好ましくは、指定した変更時間はブロードキャスト変更期間の始まりを示す。
【００９３】
本発明のこの態様によると、本発明の第２の態様の基地局は、別のネットワーク要素、好ましくはモビリティ管理エンティティにより制御される。これによって、エリアシステム情報変更の時点が開始される。指定された変更時間が示され、基地局はエリアシステム情報ブロックの変更を達成することによって、そのような命令に従う。結果として生じるシステム値変更フィールド及びオーバーランフィールドの変更は、基地局により実行されるが、モビリティ管理エンティティにより集中管理されてもよい。
【００９４】
この実施形態は、同じエリアに属する基地局同士の同期化を簡単にする。また、そのエリアの１つの基地局から別の基地局に移行する無線端末が予期せぬ隙間に捕らわれず、最悪のケースに情報を失わず、別のケースでは全てのエリアシステム情報の再処理を行って資源を浪費する必要がないことが保証される。
【００９５】
示されたように、本発明は、有利には示された課題を解決し、具体的にはハードウェア資源の少ないＭＴＣ無線端末がその通常動作中に節電することを助けるロバストな方法を提供する。
【００９６】
ＳＩＢ及び関連情報をブロードキャストを介して提供することに加えて、この解決策は、ＳＩＢ又はＳＩＢの一部がオンデマンドでのみ提供される、すなわちエリアに共通なＳＩＢが、エリアが変更されない又は上記ＳＩＢ自体のコンテンツが変更されない限り受信又は送信される必要がない動作モードにも適用可能である。
【図面の簡単な説明】
【００９７】
以下の説明及び添付図面はいくつかの例示的な態様を詳細に示しているが、実施形態の原理を使用することができる種々の方法のほんの一部しか示していない。本発明の特徴及び利点は、限定的ではなく例示的な例として与えられる有利な実施形態の以下の説明及び添付図面を読む時に現れるだろう。
【００９８】
【図１ａ】本発明を１つの実施形態として適用したセルラネットワークの例示的な基地局で動作する無線端末の第１の時点及びその後の時点における状態を示す図（その１）。
【図１ｂ】本発明を１つの実施形態として適用したセルラネットワークの例示的な基地局で動作する無線端末の第１の時点及びその後の時点における状態を示す図（その２）。
【図２】本発明の方法の好ましい実施形態のフローチャート。
【発明を実施するための形態】
【００９９】
図１ａは、１つのセルラネットワークＣＮに属する３つの基地局ＢＳ１、ＢＳ２、ＢＳ３が示されているロケーションで動作する無線端末ＵＥの状態を示している。セルラネットワークは示されているより多くの基地局を有する可能性があるが、この例示的な実施形態のためには示されているものに目を向ければ十分である。
【０１００】
基地局ＢＳ２及びＢＳ３は同じエリアＡ１に属している一方、基地局ＢＳ１は別のエリアＡ２に属する。エリアＡ１、Ａ２は共に、この例において無線端末ＵＥで復号不可能な追加の基地局を含む可能性がある。
【０１０１】
典型的にはエリアＡ１及びＡ２は、基地局が異なる動作をしている必要があるという意味で異なり、ひいてはエリア別システム情報が実質的に異なる。これは具体的には、都市で動作する基地局は処理能力がより最適化されている一方、農村地域で動作する基地局はカバレッジがより最適化されている場合である。その間には住宅地域と下町地区のようにより多くのタイプが存在し得る。そして、現在例示している実施形態では、２つのエリアＡ１、Ａ２がそのようなエリアタイプの境界線に位置しており、これは基地局のエリア構成に提示されることが好ましい。
【０１０２】
この実施形態の基地局ＢＳ１、ＢＳ２、ＢＳ３のそれぞれは、システム情報ＳＩ１、ＳＩ２、ＳＩ３をブロードキャストするように構成される。システム情報は、システム情報ブロックいわゆるＳＩＢに分配され、システム情報ブロックの中の少なくとも１つのブロックがエリアシステム情報を含む。基地局ＢＳ１についてのエリアシステム情報ブロック、いわゆるエリアＳＩＢはＳＩ１と表示され、基地局ＢＳ２についてのエリアＳＩＢはＳＩ２で示され、基地局ＢＳ３についてのエリアＳＩＢはＳＩ３で示される。それぞれのケースにおいて、基地局は示されているより多くのＳＩＢをブロードキャストすることになっている。
【０１０３】
それぞれのエリアＳＩＢ、ＳＩ１、ＳＩ２、ＳＩ３の図に示す抜粋部分に見られるように、各エリアＳＩＢは、ａｒｅａＩＤ、ａｒｅａＳｙｓＶａｌＴａｇ、ｏｖｅｒｒｕｎの３つのフィールドで始まる。
【０１０４】
任意選択的に、これらのフィールドは、どんな場合でも無線端末により読み込まれる必要がある一般システム情報の一部である可能性もある。この例示的な実施形態において、これは異なる方法で解決される。つまり無線端末は、システム情報を処理するときはいつでもエリアＳＩＢの３つのフィールドを読み込んで処理する。
【０１０５】
ａｒｅａＩＤはエリアの識別子を含む。これによって基地局は、ブロードキャストを処理する無線端末にどのエリアに属するかを公表し、近接する別の基地局が同じエリアの一部であるか否かを無線端末が特定することを支援する。対応する無線端末は各基地局にキャンプオンするか、又は特に上記基地局へのセル再選択若しくは登録に備えて、基地局にキャンプオンすることなくブロードキャストをリッスンする。
【０１０６】
ａｒｅａＩＤは、セルラネットワーク内で一意であることが好ましい。これは無線端末がサービス停止モードになり、その間に移動する状況に好適である。無線端末は、偶然同じａｒｅａＩＤを有するエリアでウェイクアップし、他の値も同じである場合、エリアシステム情報を処理しないため、予測不能な動作を行う可能性がある。
【０１０７】
エリアシステム情報と共に送信されるシステム値変更フィールドであるａｒｅａＳｙｓＶａｌＴａｇは、最後のブロードキャスト変更期間が満了してからエリアシステム情報に変更が生じたかどうかについて示唆する。最後にオーバーランフィールドは、ａｒｅａＳｙｓＶａｌＴａｇのオーバーランがあったかどうかを示す。
【０１０８】
２つの値によって、この基地局で動作する無線端末は、エリアシステム情報を再度処理する必要があるかどうかを知ることができる。
【０１０９】
図１ａに示す状況において無線端末が基地局ＢＳ２から基地局ＢＳ３へのセル再選択を行う場合、無線端末は３つのフィールド、ａｒｅａＩＤ、ａｒｅａＳｙｓＶａｌＴａｇ、及びｏｖｅｒｒｕｎを読み込んで処理する。
【０１１０】
エリアＳＩＢ、Ｓ２及びＳ３の値によって、無線端末は、以前の読み込み試行から基地局ＢＳ２に格納された全ての値が依然として有効であるため、エリアＳＩＢ、Ｓ３全体を再度処理する必要はないことを確認する。
【０１１１】
基地局ＢＳ１に関する状況は異なる。無線端末は、この基地局へのセル再選択を行う場合は、エリアＳＩＢ、ＳＩ１の読み込みを開始し、異なるａｒｅａＩＤ、この場合は以前の基地局ＢＳ２の１２３ではなく１２４を前もって検出することになる。したがって、無線端末は、基地局ＢＳ１で動作するために、好ましくは完全なエリアＳＩＢ、ＳＩ１を処理する必要があることを知る。
【０１１２】
好ましくは、電力消費を意識した基地局は、セル再選択に関して、別のエリアの基地局をよりも同じエリアに属する基地局を選ぶ可能性がある。なぜなら、同じエリアの基地局のシステム情報を取得する方が他の基地局に対して電力消費が少なくなるためである。
【０１１３】
図１ｂは、ａｒｅａＩＤ１２３を有するエリアＡ１に属する全ての基地局のエリアシステム情報に変更があった状況を示している。
【０１１４】
無線端末ＵＥは、セルラネットワークでの動作に重要な情報を含むシステム情報を受信して処理することになっている。１つの重要な例は、典型的にはシステム情報フィールドにより示される拡張アクセス規制（ＥＡＢ）である。このフィールドによって、選択された無線端末、特にＭＴＣ端末が基地局にアクセスする又は基地局で動作することを規制することができる。
【０１１５】
幾つかの無線端末がセルラネットワークでの動作の停止を求められるセルラネットワークのより大きな領域に影響を及ぼす場合、エリアシステム情報としてアクセス規制フィールドを備えることが好ましい。したがって、エリアシステム情報の一部としてアクセス規制フィールドをセットすることがこの問題を解決するであろう。
【０１１６】
ここで図１ｂには、エリアＡ１の基地局のａｒｅａＳｙｓＶａｌＴａｇが１５（図１ａ参照）から１７に増加していることが示されている。このエリアの基地局で動作している無線端末は、スリープすなわちサービス停止モードで動作していない限り定期的にａｒｅａＳｙｓＶａｌＴａｇを処理することになっている。好ましくは、復号時間はブロードキャスト変更期間により決定される。
【０１１７】
無線端末は、ａｒｅａＳｙｓＶａｌＴａｇの変更を特定すると、エリアＳＩＢの処理を開始する。図１ｂに示す例では、２つの値が変わっており、ここで拡張アクセス規制に関する第１のビットフィールドが“１”で拡張アクセス規制が作動中であることを示す。第２のフィールド、ここでは“６”によって、無線端末、例えばあるカバレッジレベルの拡張カバレッジデバイスのクラスが示されている。これらの変更はエリアＡ１の２つの基地局ＢＳ２及びＢＳ３に適用される。
【０１１８】
その結果、無線端末はａｒｅａＳｙｓＶａｌＴａｇの変更を検出した後、図２に示す手順を実行している。
【０１１９】
ここで手順は、無線端末ＵＥが基地局（ＢＳ）にキャンプオンしているステップＳ１から開始する。次に無線端末は、ステップＳ２において（非エリアＳＩＢを伴う）完全なエリアＳＩＢの組を初めて受信し、ステップＳ３においてこれらをローカルメモリに格納する。
【０１２０】
次にステップＳ４において、次のサイクルが好ましくはブロードキャスト変更期間の満了後に開始される。受信したＳＩＢは第１に、少なくともａｒｅａＳｙｓＶａｌＴａｇを含む。正確にはａｒｅａＩＤも検出され、これが格納されているａｒｅａＩＤと異なる場合、操作はステップＳ２に再び分岐する。
【０１２１】
ステップＳ５において、読み込まれた新しいａｒｅａＳｙｓＶａｌＴａｇが格納されているａｒｅａＳｙｓＶａｌＴａｇより大きいかどうかがチェックされる。大きくない場合、手順はステップＳ６に分岐し、無線端末は通常動作を継続する。つまり、ここで新しい値が予想されないため、エリアＳＩＢを読み込むためにこれ以上電力は費やされない。
【０１２２】
新しいａｒｅａＳｙｓＶａｌＴａｇと格納されているａｒｅａＳｙｓＶａｌＴａｇが異なる場合は、手順はステップＳ７に分岐し、ＵＥは段階的にエリアＳＩＢのフィールドを受信して処理する。ステップＳ８において、読み込まれた各フィールドが同じフィールドの格納されている値と比較され、変更が検出された場合、この変更されたフィールドがステップＳ９に示すように格納される。次にステップＳ１０において、エリアＳＩＢを処理する動作を継続するかどうか決定される。
【０１２３】
図１ｂの状況は、数フィールドの後にアクセス規制を示す第１のビットフィールドが検出されたことを示す。この値を格納した後、さらなる変更が表示されているかどうかがチェックされる。表示は以前に格納されたａｒｅａＳｙｓＶａｌＴａｇと比較したａｒｅａＳｙｓＶａｌＴａｇの増加によって行われ、この場合の差は２の値である。好ましくは、ステップＳ９の手順においてカウンタが増加する。このカウンタは、ステップＳ１０において新しいａｒｅａＳｙｓＶａｌＴａｇと以前のａｒｅａＳｙｓＶａｌＴａｇの差と比較される。カウンタがこの差より小さい場合、手順はエリアＳＩＢの処理を継続するためにステップＳ７に分岐する。
【０１２４】
図１ｂの場合、第１のビットフィールドの変更を検出した後、手順はＳ７に分岐し、次のフィールドを読み込む。好ましくは、次のフィールドは既にアクセス規制による影響を受けた無線端末のクラスである。したがって、変更がステップＳ８において検出され、結果としてステップＳ９において格納される。上記カウンタのさらなるインクリメントはステップＳ１０の状況をもたらし、ここでａｒｅａＳｙｓＶａｌＴａｇにより表示された全ての変更が前もって処理される。結果として手順はＳ６に分岐し、エリアＳＩＢの残りの部分を破棄する。
【０１２５】
この好ましい実施形態によって、無線端末は、エリアＳＩＢの変更が示されていても多くのエリアＳＩＢを無視する可能性を有することによって、エリアＳＩＢを処理するための多くのエネルギーを節約できることは明らかである。
【０１２６】
これは、理想のケースではエリア関連システム情報を読み込むために追加の電力を消費する必要がないため、１つのエリアの一部である基地局の中からのセル再選択後はなおさらである。
【０１２７】
以上の詳細な説明において、例示により、本発明が実施される特定の実施形態を示す添付図面が参照される。これらの実施形態は、当業者が本発明を実施することができるように十分詳細に記載される。異なっていたとしても、本発明の様々な実施形態は必ずしも互いに排他的ではないことは理解されるべきである。例えば、一実施形態と関連して本明細書に記載される特定の特徴、構造、又は特性は、本発明の範囲を逸脱することなく、別の実施形態において実現されてもよい。加えて、開示される各実施形態の範囲内の個別要素の位置又は配置は、本発明の範囲を逸脱することなく変更されてもよいことは理解されるべきである。したがって、以上の詳細な説明は、限定的な意味で受け取られるべきではなく、本発明の範囲は、請求項が権利を得ることができる全範囲の同等物とともに、適切に解釈された、添付の請求項によってのみ定義される。
【図１ａ】
2019527001.tif 000003
【図１ｂ】
2019527001.tif 000004
【図２】
2019527001.tif 000005
【手続補正書】
【提出日】平成31年3月15日(2019.3.15)
【手続補正１】
【補正対象書類名】明細書
【補正対象項目名】全文
【補正方法】変更
【補正の内容】
【発明の詳細な説明】
【技術分野】
【０００１】
本発明はセルラネットワークで動作する無線端末に関する。本発明はまた、上記セルラネットワークの基地局に関する。
【０００２】
本発明はさらに、そのような無線端末を操作する方法に関する。
【０００３】
本発明はまた、そのような基地局を操作する方法に関する。
【背景技術】
【０００４】
セルラ無線通信の分野において、技術標準は、具体的には低コストデバイスと見なされるマシン型通信（ＭＴＣ）デバイスを専用にサポートする方向にさらに進化しつつある。これらのデバイスは、ＬＴＥや５Ｇなどの最新世代のセルラネットワークで動作可能であるが、ハードウェア資源の面で各基地局、具体的にはｅＮｏｄｅＢで完全に動作する能力を有してはいない。
【０００５】
また、このようなＭＴＣデバイスは限られた電源で動作することが多いため、一般的な携帯電話機と比べてアクティブなｅＮｏｄｅＢとのシグナリングを低減させなければならない。
【０００６】
想定される目的を支持することが期待される一部の提案は、基地局によってシステム情報ブロック（ＳＩＢ）でブロードキャストされるシステム情報が、ブロードキャストするｅＮｏｄｅＢそのものに関係しているだけでなく、そのセルカバレッジ領域がエリアを形成する複数の基地局に専用の部分を含むことである。このようなエリアシステム情報は、特にそのエリアの全ての基地局に共通の情報をブロードキャストすることが想定される。したがって、１つのセルでＳＩＢを読み込み、同じエリアの別のセルに移動する無線端末は、エリアＳＩＢの変更を通知する表示が存在しない限り、エリア関連部分を読み込む必要がない。
【０００７】
このため、３ＧＰＰ Ｒ２−１６１１４０ Ｓｙｓｔｅｍ Ｉｎｆｏｒｍａｔｉｏｎ Ａｒｅａ Ｓｃｏｐｅ ａｎｄ Ｖａｌｕｅ Ｔａｇ（３ＧＰＰ ＴＳＧ ＲＡＮ ＷＧ２の貢献）などの提案は、識別子、具体的にはエリアＳＩＢの少なくとも１つのフィールドが変化したときにインクリメントされるエリア識別子（エリアＩＤ）を提案する。
【０００８】
一方でこの解決策の欠点は、この方法によって、異なるエリアが同一のエリアＩＤを有する可能性があり、これにより異なるセルエリアに移動した休止中の無線端末に望ましくない効果が及ぶことである。さらに、無線端末、特に長い休止時間が提案されているＭＴＣ装置がスリープモードにある場合、多くのエリアＳＩＢ変更が生じた場合に変更を見逃す可能性があるため、エリアＩＤは無線端末のスリープ状態においてオーバーランする可能性がある。
【０００９】
さらにこれは、エリアＩＤがそれぞれ変化することによって無線端末がエリアＳＩＢを完全に読み込むことを余儀なくされる状況をもたらす。ここで変化が多いと、事実上、エリアＳＩＢ定義がない場合よりＳＩＢを読み込んで復号するための労力が大きくなる。
【発明の概要】
【発明が解決しようとする課題】
【００１０】
したがって、本発明の目的は、上述の欠点を克服し、無線端末、特にハードウェア資源の少ないＭＴＣ無線端末のための改善されたＳＩＢ検索のための解決策を提案することである。したがって、別の代替的かつ有利な解決策も当技術分野において望ましい。
【課題を解決するための手段】
【００１１】
このため、本発明の第１の態様によると、請求項１に記載の無線端末が提案される。さらに、本発明の第２の態様によると、請求項７に記載の基地局が提案される。本発明の第３の態様によると、請求項１０に記載の無線端末を操作する方法が提案される。本発明の第４の態様によると、請求項１３に記載の基地局を操作する方法が提案される。本発明の第５の態様では、請求項１５に記載のセルラネットワークが提案される。
【００１２】
したがって、本発明の第１の態様によると、複数の基地局を有するセルラネットワークで動作する無線端末であって、無線端末がトランシーバと、少なくとも１つのプロセッサと、メモリとを備え、トランシーバが１組のシステム情報を受信するように構成され、基地局によりそれぞれ送信されたシステム情報のそれぞれが、基地局の１つにより送信されたエリアシステム情報を含み、エリアシステム情報が、上記基地局及び少なくとも１つの他の基地局によりカバーされるローカルエリアに共通であり、プロセッサが、受信したエリアシステム情報を上記メモリに格納するように構成され、無線端末は、第１の基地局（ＢＳ１）から第２の基地局（ＢＳ２）へのセル再選択を実行したとき、
−第１の基地局から受信した格納されているエリアシステム情報に関連する表示を含む、エリアシステム情報の専用送信要求を第２の基地局に送信し、
−上記表示のある格納されているエリアシステム情報と、第２の基地局からの実際のシステム情報の差を含む送信を検索して処理する、
ように構成され、
無線端末のプロセッサがさらに
−システム情報と共に送信されたエリアの変更を示すエリア識別子、又は
−システム情報と共に送信されたシステム情報値の値の変更を示すシステム値変更フィールド
を検出した場合にのみ、後で送信されたエリアシステム情報を処理するように構成される無線端末が提案される。
また、任意選択的に
−システム値変更フィールドのオーバーランを示すオーバーランフィールドが、システム情報と共に送信される。
【００１３】
本発明は、例えば３Ｇ、４Ｇ又はそれ以降の既知の無線技術標準の１つに従ってセルラネットワークで通信する無線端末に関する。無線端末は、エアインターフェイスを介してセルラネットワークの基地局、すなわちｅＮｏｄｅＢと通信するために必要な回路を備える。これは特に受信及び送信機能を備えたトランシーバ回路を備える。回路によって、送信回路及び受信回路の別の構造設計も本発明の無線端末により包含される。
【００１４】
無線端末、すなわちそのトランシーバは、基地局からの送信を受信して処理するように構成される。典型的には、基地局は無線端末に情報をブロードキャストする。ブロードキャストされた情報を受信するために、一般的には基地局にキャンプオンする、又はセルラネットワークに登録される必要はないが、幾つかのブロードキャストについては基地局にキャンプオンすることが有利である。
【００１５】
ブロードキャストは、一般的には共有チャネルである特別なブロードキャストチャネルで実行されることが好ましい。システム情報の専用送信又はオンデマンドプロビジョニングの場合、専用チャネルが選択されることが好ましい。好ましくは専用送信を使用して、システム情報は無線端末の要求によって、すなわち無線端末からの要求に応じて提供される。
【００１６】
ブロードキャストチャネルの一部として、システム情報が複数のシステム情報ブロック（ＳＩＢ）で送信される。各システム情報ブロックは、各標準に従って定義された１組のデータフィールドを有する。
【００１７】
システム情報は、無線端末に少なくともセルラネットワーク、セル及びセルの周囲に関連する情報を提供する。
【００１８】
システム情報に含まれるデータフィールドの一部は、基地局によって用意された少なくとも２つのセルを含むエリアに関連する。このようなエリアシステム情報は、エリアの全てのセルに共通である。つまり以前にアクティブであった基地局が属するのと同じエリアの別の基地局に対する無線端末のセル再選択の場合、一般にエリアシステム情報を再読み込みする必要がない。
【００１９】
エリアシステム情報の典型的な例は、基地局が動作しているエリアのタイプとの関係が異なるものである。特に都市部にある基地局は農村地域にある基地局と比べて大いに異なる特性を有する。都市部にある基地局は、面積が小さいがサービスを提供する無線端末の数がより多いサービスエリアをカバーしなければならないため、大きいセルエリアをカバーする地方の基地局の場合のようにカバレッジが最適化されるのではなく、処理能力が最適化される必要がある。したがって、通常のＤＲＸサイクル、ＲＡＣＨ電力、最大許容送信電力、最低受信レベル、ＭＩＭＯ割り当て、さらにサポートされるカバレッジ拡張レベルに関連するシステム情報は都会と農村地域で著しく異なるものの、そのエリアタイプ内では依然として酷似している。
【００２０】
このコンセプトは、特に静止状態又は少なくとも準静止状態で動作している無線端末が電力消費状態を改善する方法で動作しているという利点を有する。
【００２１】
しかし、エリアシステム情報も変化する可能性がある状況がある。その場合、無線端末はエリアシステム情報も受信して処理しなければならない。
【００２２】
エリアシステム情報が無線端末により処理されているかどうかは、セル再選択の場合に差し迫った問題となるが、無線端末が現在キャンプオン中の基地局に留まる場合も同様である。
【００２３】
したがって本発明に係る無線端末は、エリアシステム情報全体ではなく、好ましくはシステム情報ブロック内に隣接して位置する少なくとも以下のシステム情報フィールド、すなわち
−エリア識別子、
−エリア関連システム値変更フィールド、
−オーバーランフィールド
を定期的に読み込んで処理するように構成される。
【００２４】
これらの３つのシステム情報フィールドはエリアに関連するものであるが、エリアシステム情報が前述の条件下でのみ処理されるのに対し、これらを定期的に処理するために、一般的な、すなわち非エリア関連システム情報の一部として提供することが有利である。
【００２５】
エリア識別子は、現在セルが属しているエリアを特定する識別子である。好ましくは、エリア識別子はセルラネットワーク内で一意である。
【００２６】
これは特に、無線端末がシステム情報を受信しないスリープモードで動作し、その間に別のエリアに移動する可能性があることから有利である。そうでない場合、無線端末が異なるエリアシステム情報を有して別のエリアでウェイクアップする可能性があるが、エリア識別子が同じであるために予測不可能な挙動がもたらされる。
【００２７】
無線端末は、エリア識別子が変わったことを検出した場合は、完全なエリアシステム情報を読み込んで処理しなければならない。
【００２８】
通常これは、セル変更だけでなく、セルの別のエリアへの再割り当てがエリア識別子変更を引き起こす可能性がある場合、又は無線端末が空間的変化に気付かずにスリープモードからウェイクアップした場合に起こっている。システム情報が基地局によってオンデマンドで提供される場合、無線端末はエリアシステム情報を要求しなければならない。基地局は、要求された情報を専用のシグナリングを介して提供し、要求が現在のエリア識別子を含む可能性があるより進んだ例では、基地局はこの要求に応じて、更新を含む関連する２組の間の差だけを提供することができる。
【００２９】
システム情報と共に送信されたシステム値変更フィールドは、エリアシステム情報のいかなる変更も示す。システム情報ワイドシステム値変更フィールドと同様に、このフィールドはエリアシステム情報の変更を示す。ただし１つの基地局に縛られないが、エリア関連システム情報に変更が生じている場合は、エリア関連システム値変更フィールドは、そのエリアの全ての基地局について増加する。
【００３０】
さらに、そのエリアの全ての基地局を通じて、システム値変更フィールドの同じ値を維持することが好ましい。
【００３１】
この値を適切に処理するために、無線端末は、以前に受信したエリア関連システム値変更フィールドをそのメモリに格納し、現在受信しているシステム値変更フィールドを定期処理するときに、前回受信した値を現在受信している値と比較することが好ましい。２つの値が異なる場合、無線端末は実際のエリアシステム情報を読み込んで処理しなければならない。
【００３２】
システム値変更フィールドについて、最大値を決定する所与のビットサイズが想定される。長時間スリープモードで動作し、この間システム情報を検索しない無線端末が存在することによって、システム情報と共に送信されたシステム値変更フィールドが無線端末のスリープ期間中に変わってしまい、スリープモードに移行する前に無線端末に格納されているものと同じシステム値変更フィールドの値が提供されることが頻繁に起こり得る。
【００３３】
この状況の無線端末は、膨大な数の値の変更が起こっても結果的にエリアシステム情報を処理しない。
【００３４】
このような状況を回避するために、追加のオーバーランフィールドが導入されることが好ましい。これは、システム値変更フィールドが最大値から最小値に変化すると、セット、すなわち増加される。このフィールドがセットされると、無線端末は変更があったことを知り、エリアシステム情報を処理することになる。
【００３５】
本発明によると、無線端末は、エリア関連システム情報を利用すると同時に、システム情報を処理するために電力資源を最小限に抑えることができる。さらに、このような本発明の無線端末が、ＭＴＣデバイスには一般的なより長い休止サイクルを、エリアシステム情報の変更を見逃すことなく実行できるように安全手段が導入される。
【００３６】
具体的には、無線端末はサービス停止状態を実行するように構成され、プロセッサは、さらに無線端末が所定の期間後にサービス停止状態からウェイクアップした場合に、上記エリアシステム情報を処理するように構成されることが提案される。
【００３７】
したがって無線端末は、今までに知られているように長いスリープ状態を実行することが許されている。このスリープ、すなわちサービス停止状態は、具体的には無線端末がシステム情報を処理しないことを意味する。上記の安全手段は、サービス停止状態の後、無線端末が最新のエリアシステム情報で動作していることを既にかなりの程度まで保証しているが、長いスリープ状態後にエリア関連システム値変更フィールド及びオーバーランフィールドが、エリアシステム情報がサービス停止状態の間に変わったかどうかの確かな表示を行わない可能性が依然としてあり得る。
【００３８】
したがって、この実施形態によって、エリアシステム情報の最後の処理から所定期間が経過した場合に、エリア識別子、システム値変更フィールド、又はオーバーランフィールドの値にかかわらず、完全なエリアシステム情報が再度読み込まれて処理されることが提案される。
【００３９】
この手段によって、一方では常に最新のエリアシステム情報が利用できることが保証され、他方で無線端末は、できる限り多くのエリアシステム情報を処理するために資源を節約することができる。
【００４０】
本発明によると、無線端末は、第１の基地局から第２の基地局へのセル再選択を実行したとき、
−第１の基地局から受信した格納されているエリアシステム情報に関連する表示を含む、エリアシステム情報の専用送信要求を第２の基地局に送信し、
−上記表示のある格納されているエリアシステム情報と、第２の基地局からの実際のシステム情報の差を含む送信を検索して処理する
ように構成される。
【００４１】
これによると、システム情報、具体的にはエリアシステム情報は、ブロードキャストで提供されるだけでなく、専用シグナリングにより、具体的にはオンデマンドで提供できることが想定される。これは、ブロードキャストシグナリングを許容しないほどの高周波域で動作している、スタンダードになりつつある基地局に適用されてよい。無線端末が、以前にアクセスしていた基地局と同じエリアで動作しているそのような基地局への再選択を実行している場合は、本発明のアイデアは同様に適用可能とする。これは、以前にアクセスしていた基地局から検索されたエリアシステム情報に関連する表示を含む、無線端末から基地局へのエリアシステム情報の送信要求によって達成される。
【００４２】
そして基地局は、当該表示、具体的にはエリア識別子及びシステム値変更フィールドをチェックし、その間に生じた差をチェックするように構成される。これは１つのエリアの全ての基地局のエリアシステム情報が等しくかつ同期されているために可能である。
【００４３】
新しい基地局が異なるエリアに属する場合でも、基地局が、そのエリアのエリアシステム情報と無線端末からの要求に示されたエリアのエリアシステム情報の差を知る可能性がある。
【００４４】
基地局はさらに、差をチェックした後に、基地局の表示されたシステム情報と実際のシステム情報の差を含む応答メッセージを無線端末に送信するように構成される。
【００４５】
次に無線端末は検索されたエリアシステム情報を処理することになる。
【００４６】
好ましくは、特に接続中に、無線端末はシステム情報への変更が生じたかどうかを基地局に定期的に要求する。
【００４７】
基地局がシステム情報をブロードキャスト可能な場合、無線端末は、エリアシステム情報のオンデマンド要求が必要かどうかを知るために、エリア識別子、システム値変更フィールド、及びオーバーランフィールドを調べれば十分である。
【００４８】
この方法ステップは、ブロードキャスト量を削減し、必要なときに関連エリアシステム情報を提供するため有利である。特に無線端末は、スリープモードで動作する場合、ウェイクアップ後すぐに最も正確なエリアシステム情報を要求することができる。
【００４９】
実際、無線端末は、既知のメカニズムによる場合よりさらに迅速にシステム情報を検索する。
【００５０】
別の好ましい実施形態では、無線端末は現在の基地局から第２の基地局へのセル再選択を実行するように構成され、プロセッサは、
−第２の基地局により送信されたエリア識別子が、上記格納されているシステム情報の組と共に受信されたエリア識別子と異なる場合、
−第２の基地局により送信されたシステム値変更フィールドが、上記格納されているシステム情報の組と共に受信されたシステム値変更フィールドと異なる場合、
−第２の基地局により送信されたオーバーランフィールドが、システム値変更フィールドのオーバーランを示す場合、
のうちの少なくとも１つの場合に、第２の基地局により送信された完全なエリアシステム情報を処理するように構成されることが提案される。
【００５１】
この実施形態によって、エリアシステム情報は、無線端末が既知のシステム情報処理の手順と比べてシステム情報処理のための電力を節約するのに役立つことが明らかになる。既知の状況は、別の基地局への再選択後に、無線端末が完全なシステム情報の組を処理しなければならないことである。このため、再選択は無線端末の電力消費の面で幾つかの欠点を有する。これは具体的には、例えばより良好なカバレッジ拡張レベル又は他の電力関連パラメータに起因して消費電力の低減を可能にする基地局で動作するためにセル再選択が実行されるときの問題である。
【００５２】
エリアシステム情報の定義によって、基地局のグループについてこのシステム情報の組は同一である。したがってセル再選択の後、無線端末はまず、新しい、すなわち第２の基地局が、以前にアクセスしていた、すなわち第１の基地局と同じエリアに割り当てられているかどうかをチェックする。このステップは、第２の基地局のエリア識別子が第１の基地局のエリア識別子と異なるかどうかをチェックすることによって実行される。
【００５３】
第２の基地局のエリア識別子が第１の基地局のエリア識別子と異なる場合、エリアシステム情報を処理する必要がある。そうでない場合、第２の基地局のエリアシステム情報は一般に第１の基地局のエリアシステム情報と比べて変わらないと考えられ、処理する必要がない。これによって、セル変更を行う無線端末にとても大きな節電効果がもたらされる。
【００５４】
それでもなお、セル再選択手順の間にエリアシステム情報が変わってしまう可能性がある。そのような状況には、システム情報と共に送信されたエリア関連システム値変更フィールドをさらにチェックすることが提案される。第２の基地局のエリア関連システム値変更フィールドは、エリアシステム情報に変更が生じない限り第１の基地局のエリア関連システム値変更フィールドと同じ値を有するはずである。ここで変更が検出された場合は、エリアシステム情報を再度処理する必要がある。実際、これはセル再選択の電力消費の面における欠点ではない。すなわち、第２の基地局が第１の基地局と同じエリアに属している場合は、セル再選択が実行されたとしても、エリア関連システム情報を第１の基地局についても処理する必要があるため無線端末にとっては違いがない。これは、そのエリアの全ての基地局に影響を及ぼすエリアシステム情報に変更があったために、セル再選択を実行したか否かにかかわらず、全ての無線端末がエリアシステム情報を処理する必要があるような場合である。
【００５５】
さらに、スリープモード、すなわちサービス停止状態からのウェイクアップ後にセル再選択が可能である。このような場合、エリアシステム情報のためのシステム値変更フィールドが、オーバーフローにより多くの変更が生じたにもかかわらず変更を示さないという上記と同じ状況になる可能性がある。これは本実施形態によると、オーバーランフィールドでカバーされる。オーバーランフィールドがセットされた場合、第２の基地局により提供されるエリアシステム情報は完全に処理される必要がある。
【００５６】
本実施形態によって、本発明の節電効果は、スリープ状態後にもセル再選択を実行する無線端末の場合にさらに高まる。
【００５７】
好ましい実施形態によると、エリアシステム情報の専用送信要求は、無線端末が、
ａ）エリアの変更、又は
ｂ）エリアシステム情報の一般的なシステム情報からの変更
のうちの少なくとも１つに直面した場合にのみ送信されることが提案される。
【００５８】
この好適な実施形態は、エリアシステム情報のオンデマンドプロビジョニングが、必要とされる場合にのみ生じていることを含む。これは、前述の２つの状況のうちの１つに直面した場合に、システム情報の要求が役立つことを意味する。実際、この実施形態は無線端末の電力消費を削減し、基地局の混雑状態を緩和する。
【００５９】
具体的には、エリア又はエリアシステム情報の変更の検出は、提供された一般的なシステム情報を通じて取得された情報に基づく。そのような一般的なシステム情報は、具体的にはＬＴＥ技術標準をサポートする無線アクセスネットワークのｅＮｏｄｅＢの中心ブロックであるマスター情報ブロック（ＭＩＢ）の一部として提供されてよい。
【００６０】
別の好ましい実施形態では、システム値変更フィールドがエリアシステム情報の値の変更を示している場合に、プロセッサは、後で送信されたエリアシステム情報を処理するように構成され、処理が
−システム値変更フィールドから複数の変更を決定すること、
−処理されたエリアシステム情報を、格納されているエリアシステム情報と比較すること、
−処理されたシステム情報と格納されているエリアシステム情報の差の数が、検索された変更の数を補完する場合に復号を停止すること
を含むことが提案される。
【００６１】
この実施形態は、システム値変更フィールドに関連するさらに有利な改善に関する。この実施形態によると、システム値変更フィールドは、エリアシステム情報の変更が行われたことだけでなく、そのような変更がどの程度まで生じたかも示す。換言すれば、一定数のエリアシステム情報フィールドについて、１つの変更がブロードキャスト変更期間中に生じた場合は、システム情報と共に送信されたエリア関連システム値変更フィールドは、ちょうど影響を受けたエリアシステム情報フィールドの数だけ増加する。
【００６２】
これは、システム値変更フィールドを介して表示を受け取った無線端末について、現在アクティブな基地局のエリアシステム情報を処理することになっていること、以前に処理され格納されているエリアシステム情報と比較したさらなる変更がまだ処理されていない限り、エリアシステム情報を処理するだけでよいことを意味する。
【００６３】
その結果、無線端末の処理ステップはまず、好ましくは以前に読み込まれたシステム値変更フィールドと現在受信されているシステム値変更フィールドの簡単な減算によって変更の数を特定する。次に、処理中に復号された各フィールドについてのエリアシステム情報の処理中に、格納されているエリアシステム情報との比較が実行される。変更が検出されるとすぐに、新しい値が格納され、検出された変更の数が想定されている変更の数と比較される。全ての変更が生じていた場合、つまり表示された変更の数が検出された変更の数と等しい場合、復号は停止する可能性があり、エリアシステム情報の残りの部分は変更されていないと想定され、つまりこれ以上処理が行われない。
【００６４】
好ましくは、この実施形態は他の非エリア関連システム情報フィールドにも適用可能である。
【００６５】
この実施形態によって、エリアシステム情報の変更の場合であっても、さらなる節電を達成できることは明らかである。スリープモード中にエリアシステム情報フィールドの値が一旦変わり、二度目に以前の値に戻った場合、無線端末はこの変更を検出せず、システム値変更フィールドが示した２つの変更を見逃すが、これらの場合の無線端末は、実際に必要とされるより多くの電力資源が必要とされるが、エリアシステム情報を完全に処理し、依然として最新であるため影響は少ない。このようなケースはまれであるため、この欠点は対処可能である。
【００６６】
エリア識別子及びオーバーランフィールドのうちの少なくとも１つがエリアシステム情報の変更を示す場合に、プロセッサは、完全なエリアシステム情報を復号することによって後で送信されたエリアシステム情報を処理するように構成されることがさらに提案される。
【００６７】
前述の実施形態とは異なるこの実施形態によると、特にセル再選択によるエリア識別子の変更、又はシステム値変更フィールドのオーバーランの場合に、エリアシステム情報の完全な処理が提案される。
【００６８】
したがって、無線端末は常に正確なエリアシステム情報を利用できることが保証される。
【００６９】
本発明の第２の態様によると、無線通信のためのセルラネットワークの基地局であって、基地局が送信回路を備え、送信回路が１組のシステム情報を上記基地局で動作する無線端末に送信するように構成され、
前記１組のシステム情報がエリア関連システム情報ブロック及び非エリアシステム情報に分割され、エリア関連システム情報ブロックが上記基地局及び少なくとも１つの他の基地局によりカバーされるローカルエリア用に確保され、
基地局が、無線端末（ＵＥ）からの要求を受信したときにエリアシステム情報を提供するように構成され、以前に送信されたエリアシステム情報との差が、上記受信した要求に含まれるエリア識別子及び上記基地局に割り当てられたエリア識別子を考慮して提供され、少なくとも１つのシステム情報ブロックが、
−セルラネットワークの全てのエリア内で一意のエリア識別子と、
−少なくとも１つのエリアシステム情報ブロックのデータフィールドの各変更をカウントするためのシステム値変更フィールドと
を含む基地局が提案される。
【００７０】
本発明のこの第２の態様は、本発明の第１の態様に係る無線端末の無線通信用のエアインターフェイス上にある対応物である基地局に関する。
【００７１】
基地局は、複数の無線端末と無線通信するための送受信回路を備える。基地局はさらに、好ましくは有線固定接続を介して他のセルラネットワーク要素に接続される。
【００７２】
送受信回路によって、セルのサービスエリアはカバーされ、セルエリアに位置する無線端末からの信号が基地局により復号可能とされる。
【００７３】
本発明に係る基地局は、同じセルラネットワーク、好ましくはセルラネットワークの同じ無線アクセスネットワークの少なくとも１つの他の基地局と共に、セルの１つのエリアに割り当てられる。
【００７４】
モビリティ管理エンティティ（ＭＭＥ）のような別のネットワーク要素によって、１つのエリアの基地局は、そのエリアに共通のシステム情報を備える。したがって、１つのエリアに割り当てられた全ての基地局が、同じエリアシステム情報を送信する、すなわちブロードキャストチャネルでブロードキャストする。好ましくは、システム情報はシステム情報ブロック（ＳＩＢ）で送信される。
【００７５】
本発明のこの態様に係る基地局により送信されたエリアシステム情報は、エリア識別子と、エリアシステム情報の変更を示すシステム値変更フィールドと、システム値変更フィールドのオーバーランを示すオーバーランフィールドとを含む１つのエリアシステム情報ブロックを提供する。
【００７６】
このような各エリアシステム情報ブロックのデータフィールドは、上記基地局にキャンプオンしている各無線端末により処理されることになっている。これによって無線端末は、本発明の第１の態様について記載したように、エリアシステム情報ブロックの残りの部分を処理する必要があるか否かを決定する立場にある。実際、本発明の基地局の挙動によって、このような基地局で動作する無線端末は、基地局で動作するための電力消費を低減することができる。さらに基地局は、無線端末が一定期間スリープすなわちサービス停止モードに移行しても、ウェイクアップ後にすぐに最新の状態になることを可能にする。これによって基地局の混雑状態が緩和され、さらに各エリアについてのＭＴＣデバイス特有のアクセス規制などの全ての関連情報が、サービスを受ける無線端末において時間内に利用できることが保証される。
【００７７】
別の好ましい実施形態によると、基地局はさらに、無線端末からの要求を受信したときにエリアシステム情報を提供するように構成され、以前に送信されたエリアシステム情報との差が、上記受信した要求に含まれるエリア識別子及び上記基地局に割り当てられたエリア識別子を考慮して提供されることが提案される。
【００７８】
この実施形態によると、基地局はオンデマンドでのエリアシステム情報の提供を申し出ることになっている。したがって、無線端末が基地局に要求を送信し、これに対して動作中のエリアについてのエリアシステム情報を受信するとみられる。好ましくは、無線端末は、例えば同じエリアの別の基地局から以前に受信したエリアシステム情報に関連する表示を行う。これによって基地局は、その後何が変わったかを知ることができる。そのため好ましくは、基地局は無線端末からシステム値変更フィールドに関連するパラメータを受信する。これにより基地局は、現在のエリアシステム情報との差を決定し、これに応答してこれらの差を提供することができる。
【００７９】
好ましくは、無線端末による要求は、エリア及び非エリアシステム情報を１つの結合ステップで要求する。
【００８０】
この実施形態は、セル再選択の後もシステム情報を交換するためのシグナリング量を削減するため有利である。さらに無線端末は、スリープ期間の後必要な場合に現在のエリアシステム情報で更新されてよい。
【００８１】
好ましい実施形態によると、基地局はさらに、システム値変更フィールドが上記エリアシステム情報ブロックのデータフィールドの各変更をカウントしているように構成される。
【００８２】
エリアシステム情報の各変更を含むシステム値変更フィールドをインクリメントすることによって、エリアシステム情報を検索する無線端末がエリアシステム情報を処理するための電力消費を低減することができる。ブロードキャスト変更期間中に、エリアシステム情報について複数の変更が行われる可能性がある。変更が生じなかった場合、システム値変更フィールドは変わらず、キャンプオン中の無線端末はエリアシステム情報を読み込んで処理する理由がない。
【００８３】
１つの変更が生じると、システム値変更フィールドは１増加し、無線端末は、エリアシステム情報の以前の処理と比較した１つの変更が検出された後に処理を停止する機会を得る。同じことは、基本的に２つ以上の変更の場合にも適用される。なぜなら、システム値変更フィールドは変更の数だけ増加し、無線端末は想定される変更の数が検出された後に読み込みを停止することができるためである。
【００８４】
別の好ましい実施形態によると、基地局は、マスターシステム情報ブロックを含むフレーム構造のデータを送信するように構成され、マスター情報ブロックは、システム情報のどの部分がエリアシステム情報の一部であるかを示すデータフィールドを含む。
【００８５】
この実施形態は、特にＬＴＥ技術標準に適合した基地局に当てはまる。ここでフレーム構造は、マスター情報ブロック（ＭＩＢ）を対応する周波数範囲の中心に含む。このマスター情報ブロックは、具体的にはシステム情報が送信されるブロードキャストチャネルを含む。したがって、エリアシステム情報の範囲にシステム情報フィールドすなわちブロックをより柔軟に割り当てるために、どのシステム情報がエリアシステム情報であるか、及びどれがセルベースのシステム情報であるかを示す少なくとも１つのデータフィールドをＭＩＢに提供することが提案される。したがって、セルラネットワークを介したエリアシステム情報の割り当ては変化する可能性があるが、１つのエリアの基地局はその意味で同じ特徴を有することが好ましい。
【００８６】
この実施形態はさらに柔軟性を与えるとともに、本発明の特徴を実際に利用可能な無線端末の移動経路をも導入する。エリア関連かそうでないかにかかわらずシステム情報を永久処理する、既知のように動作する無線端末も、関連情報を検索するが、同じ情報を同時に利用可能にするために消費電力の価格がはるかに高い。
【００８７】
本発明の第３の態様によると、複数の基地局を有するセルラネットワークで動作する無線端末によりシステム情報を読み込む方法であって、方法が、
−無線端末による要求に応じて、無線端末が現在キャンプオンしている基地局から、それぞれが基地局により送信され、上記基地局及び少なくとも１つの他の基地局によりカバーされたローカルエリアに共通のエリアシステム情報を含む第１のシステム情報の組を受信するステップであって、以前に送信されたエリアシステム情報との差が、上記要求に含まれるエリア識別子及び上記基地局に割り当てられたエリア識別子を考慮して受信されるステップと、
−上記システム情報を格納するステップと、
−システム情報と共に送信されたエリアの変更を示すエリア識別子、又は
−システム情報と共に送信されたシステム情報値の値の変更を示すシステム値変更フィールド
を検出した場合にのみ、後で送信されたエリアシステム情報を処理するステップと、
を含む方法が提案される。
【００８８】
この態様は本発明の第１の態様の利点を共有する。
【００８９】
本発明の第４の態様によると、セルラネットワークの一部である基地局によりシステム情報を送信する方法であって、方法が、１組のシステム情報を上記基地局で動作する無線端末に送信するステップを含み、１組のシステム情報がエリア関連システム情報ブロック及び非エリアシステム情報に分割され、エリア関連システム情報ブロックが上記基地局及び少なくとも１つの他の基地局によりカバーされるローカルエリア用に確保され、
基地局が、無線端末（ＵＥ）からの要求を受信したときにエリアシステム情報を提供するように構成され、以前に送信されたエリアシステム情報との差が、上記受信した要求に含まれるエリア識別子及び上記基地局に割り当てられたエリア識別子を考慮して提供され、少なくとも１つのシステム情報ブロックが、
−セルラネットワークの全てのエリア内で一意のエリア識別子と、
−少なくとも１つのエリアシステム情報ブロックのデータフィールドの値の変更を示すシステム値変更フィールドと
を含む方法が提案される。
【００９０】
この態様は本発明の第２の態様の利点を共有する。
【００９１】
本発明の第５の態様によると、本発明の第２の態様に係る複数の基地局と、１つのエリアに属する少なくとも２つの基地局を制御するように構成された少なくとも１つのモビリティ管理エンティティとを有するセルラネットワークであって、モビリティ管理エンティティがエリアシステム情報の変更を指定する場合に指定した変更時間を上記基地局に示すように構成されたセルラネットワークが提案される。
【００９２】
好ましくは、指定した変更時間はブロードキャスト変更期間の始まりを示す。
【００９３】
本発明のこの態様によると、本発明の第２の態様の基地局は、別のネットワーク要素、好ましくはモビリティ管理エンティティにより制御される。これによって、エリアシステム情報変更の時点が開始される。指定された変更時間が示され、基地局はエリアシステム情報ブロックの変更を達成することによって、そのような命令に従う。結果として生じるシステム値変更フィールド又はオーバーランフィールドの変更は、基地局により実行されるが、モビリティ管理エンティティにより集中管理されてもよい。
【００９４】
この実施形態は、同じエリアに属する基地局同士の同期化を簡単にする。また、そのエリアの１つの基地局から別の基地局に移行する無線端末が予期せぬ隙間に捕らわれず、最悪のケースに情報を失わず、別のケースでは全てのエリアシステム情報の再処理を行って資源を浪費する必要がないことが保証される。
【００９５】
示されたように、本発明は、有利には示された課題を解決し、具体的にはハードウェア資源の少ないＭＴＣ無線端末がその通常動作中に節電することを助けるロバストな方法を提供する。
【００９６】
ＳＩＢ及び関連情報をブロードキャストを介して提供することに加えて、この解決策は、ＳＩＢ又はＳＩＢの一部がオンデマンドでのみ提供される、すなわちエリアに共通なＳＩＢが、エリアが変更されない又は上記ＳＩＢ自体のコンテンツが変更されない限り受信又は送信される必要がない動作モードにも適用可能である。
【図面の簡単な説明】
【００９７】
以下の説明及び添付図面はいくつかの例示的な態様を詳細に示しているが、実施形態の原理を使用することができる種々の方法のほんの一部しか示していない。本発明の特徴及び利点は、限定的ではなく例示的な例として与えられる有利な実施形態の以下の説明及び添付図面を読む時に現れるだろう。
【００９８】
【図１ａ】本発明を１つの実施形態として適用したセルラネットワークの例示的な基地局で動作する無線端末の第１の時点及びその後の時点における状態を示す図（その１）。
【図１ｂ】本発明を１つの実施形態として適用したセルラネットワークの例示的な基地局で動作する無線端末の第１の時点及びその後の時点における状態を示す図（その２）。
【図２】本発明の方法の好ましい実施形態のフローチャート。
【発明を実施するための形態】
【００９９】
図１ａは、１つのセルラネットワークＣＮに属する３つの基地局ＢＳ１、ＢＳ２、ＢＳ３が示されているロケーションで動作する無線端末ＵＥの状態を示している。セルラネットワークは示されているより多くの基地局を有する可能性があるが、この例示的な実施形態のためには示されているものに目を向ければ十分である。
【０１００】
基地局ＢＳ２及びＢＳ３は同じエリアＡ１に属している一方、基地局ＢＳ１は別のエリアＡ２に属する。エリアＡ１、Ａ２は共に、この例において無線端末ＵＥで復号不可能な追加の基地局を含む可能性がある。
【０１０１】
典型的にはエリアＡ１及びＡ２は、基地局が異なる動作をしている必要があるという意味で異なり、ひいてはエリア別システム情報が実質的に異なる。これは具体的には、都市で動作する基地局は処理能力がより最適化されている一方、農村地域で動作する基地局はカバレッジがより最適化されている場合である。その間には住宅地域と下町地区のようにより多くのタイプが存在し得る。そして、現在例示している実施形態では、２つのエリアＡ１、Ａ２がそのようなエリアタイプの境界線に位置しており、これは基地局のエリア構成に提示されることが好ましい。
【０１０２】
この実施形態の基地局ＢＳ１、ＢＳ２、ＢＳ３のそれぞれは、システム情報ＳＩ１、ＳＩ２、ＳＩ３をブロードキャストするように構成される。システム情報は、システム情報ブロックいわゆるＳＩＢに分配され、システム情報ブロックの中の少なくとも１つのブロックがエリアシステム情報を含む。基地局ＢＳ１についてのエリアシステム情報ブロック、いわゆるエリアＳＩＢはＳＩ１と表示され、基地局ＢＳ２についてのエリアＳＩＢはＳＩ２で示され、基地局ＢＳ３についてのエリアＳＩＢはＳＩ３で示される。それぞれのケースにおいて、基地局は示されているより多くのＳＩＢをブロードキャストすることになっている。
【０１０３】
それぞれのエリアＳＩＢ、ＳＩ１、ＳＩ２、ＳＩ３の図に示す抜粋部分に見られるように、各エリアＳＩＢは、ａｒｅａＩＤ、ａｒｅａＳｙｓＶａｌＴａｇ、ｏｖｅｒｒｕｎの３つのフィールドで始まる。
【０１０４】
任意選択的に、これらのフィールドは、どんな場合でも無線端末により読み込まれる必要がある一般システム情報の一部である可能性もある。この例示的な実施形態において、これは異なる方法で解決される。つまり無線端末は、システム情報を処理するときはいつでもエリアＳＩＢの３つのフィールドを読み込んで処理する。
【０１０５】
ａｒｅａＩＤはエリアの識別子を含む。これによって基地局は、ブロードキャストを処理する無線端末にどのエリアに属するかを公表し、近接する別の基地局が同じエリアの一部であるか否かを無線端末が特定することを支援する。対応する無線端末は各基地局にキャンプオンするか、又は特に上記基地局へのセル再選択若しくは登録に備えて、基地局にキャンプオンすることなくブロードキャストをリッスンする。
【０１０６】
ａｒｅａＩＤは、セルラネットワーク内で一意であることが好ましい。これは無線端末がサービス停止モードになり、その間に移動する状況に好適である。無線端末は、偶然同じａｒｅａＩＤを有するエリアでウェイクアップし、他の値も同じである場合、エリアシステム情報を処理しないため、予測不能な動作を行う可能性がある。
【０１０７】
エリアシステム情報と共に送信されるシステム値変更フィールドであるａｒｅａＳｙｓＶａｌＴａｇは、最後のブロードキャスト変更期間が満了してからエリアシステム情報に変更が生じたかどうかについて示唆する。最後にオーバーランフィールドは、ａｒｅａＳｙｓＶａｌＴａｇのオーバーランがあったかどうかを示す。
【０１０８】
２つの値によって、この基地局で動作する無線端末は、エリアシステム情報を再度処理する必要があるかどうかを知ることができる。
【０１０９】
図１ａに示す状況において無線端末が基地局ＢＳ２から基地局ＢＳ３へのセル再選択を行う場合、無線端末は３つのフィールド、ａｒｅａＩＤ、ａｒｅａＳｙｓＶａｌＴａｇ、及びｏｖｅｒｒｕｎを読み込んで処理する。
【０１１０】
エリアＳＩＢ、Ｓ２及びＳ３の値によって、無線端末は、以前の読み込み試行から基地局ＢＳ２に格納された全ての値が依然として有効であるため、エリアＳＩＢ、Ｓ３全体を再度処理する必要はないことを確認する。
【０１１１】
基地局ＢＳ１に関する状況は異なる。無線端末は、この基地局へのセル再選択を行う場合は、エリアＳＩＢ、ＳＩ１の読み込みを開始し、異なるａｒｅａＩＤ、この場合は以前の基地局ＢＳ２の１２３ではなく１２４を前もって検出することになる。したがって、無線端末は、基地局ＢＳ１で動作するために、好ましくは完全なエリアＳＩＢ、ＳＩ１を処理する必要があることを知る。
【０１１２】
好ましくは、電力消費を意識した基地局は、セル再選択に関して、別のエリアの基地局をよりも同じエリアに属する基地局を選ぶ可能性がある。なぜなら、同じエリアの基地局のシステム情報を取得する方が他の基地局に対して電力消費が少なくなるためである。
【０１１３】
図１ｂは、ａｒｅａＩＤ１２３を有するエリアＡ１に属する全ての基地局のエリアシステム情報に変更があった状況を示している。
【０１１４】
無線端末ＵＥは、セルラネットワークでの動作に重要な情報を含むシステム情報を受信して処理することになっている。１つの重要な例は、典型的にはシステム情報フィールドにより示される拡張アクセス規制（ＥＡＢ）である。このフィールドによって、選択された無線端末、特にＭＴＣ端末が基地局にアクセスする又は基地局で動作することを規制することができる。
【０１１５】
幾つかの無線端末がセルラネットワークでの動作の停止を求められるセルラネットワークのより大きな領域に影響を及ぼす場合、エリアシステム情報としてアクセス規制フィールドを備えることが好ましい。したがって、エリアシステム情報の一部としてアクセス規制フィールドをセットすることがこの問題を解決するであろう。
【０１１６】
ここで図１ｂには、エリアＡ１の基地局のａｒｅａＳｙｓＶａｌＴａｇが１５（図１ａ参照）から１７に増加していることが示されている。このエリアの基地局で動作している無線端末は、スリープすなわちサービス停止モードで動作していない限り定期的にａｒｅａＳｙｓＶａｌＴａｇを処理することになっている。好ましくは、復号時間はブロードキャスト変更期間により決定される。
【０１１７】
無線端末は、ａｒｅａＳｙｓＶａｌＴａｇの変更を特定すると、エリアＳＩＢの処理を開始する。図１ｂに示す例では、２つの値が変わっており、ここで拡張アクセス規制に関する第１のビットフィールドが“１”で拡張アクセス規制が作動中であることを示す。第２のフィールド、ここでは“６”によって、無線端末、例えばあるカバレッジレベルの拡張カバレッジデバイスのクラスが示されている。これらの変更はエリアＡ１の２つの基地局ＢＳ２及びＢＳ３に適用される。
【０１１８】
その結果、無線端末はａｒｅａＳｙｓＶａｌＴａｇの変更を検出した後、図２に示す手順を実行している。
【０１１９】
ここで手順は、無線端末ＵＥが基地局（ＢＳ）にキャンプオンしているステップＳ１から開始する。次に無線端末は、ステップＳ２において（非エリアＳＩＢを伴う）完全なエリアＳＩＢの組を初めて受信し、ステップＳ３においてこれらをローカルメモリに格納する。
【０１２０】
次にステップＳ４において、次のサイクルが好ましくはブロードキャスト変更期間の満了後に開始される。受信したＳＩＢは第１に、少なくともａｒｅａＳｙｓＶａｌＴａｇを含む。正確にはａｒｅａＩＤも検出され、これが格納されているａｒｅａＩＤと異なる場合、操作はステップＳ２に再び分岐する。
【０１２１】
ステップＳ５において、読み込まれた新しいａｒｅａＳｙｓＶａｌＴａｇが格納されているａｒｅａＳｙｓＶａｌＴａｇより大きいかどうかがチェックされる。大きくない場合、手順はステップＳ６に分岐し、無線端末は通常動作を継続する。つまり、ここで新しい値が予想されないため、エリアＳＩＢを読み込むためにこれ以上電力は費やされない。
【０１２２】
新しいａｒｅａＳｙｓＶａｌＴａｇと格納されているａｒｅａＳｙｓＶａｌＴａｇが異なる場合は、手順はステップＳ７に分岐し、ＵＥは段階的にエリアＳＩＢのフィールドを受信して処理する。ステップＳ８において、読み込まれた各フィールドが同じフィールドの格納されている値と比較され、変更が検出された場合、この変更されたフィールドがステップＳ９に示すように格納される。次にステップＳ１０において、エリアＳＩＢを処理する動作を継続するかどうか決定される。
【０１２３】
図１ｂの状況は、数フィールドの後にアクセス規制を示す第１のビットフィールドが検出されたことを示す。この値を格納した後、さらなる変更が表示されているかどうかがチェックされる。表示は以前に格納されたａｒｅａＳｙｓＶａｌＴａｇと比較したａｒｅａＳｙｓＶａｌＴａｇの増加によって行われ、この場合の差は２の値である。好ましくは、ステップＳ９の手順においてカウンタが増加する。このカウンタは、ステップＳ１０において新しいａｒｅａＳｙｓＶａｌＴａｇと以前のａｒｅａＳｙｓＶａｌＴａｇの差と比較される。カウンタがこの差より小さい場合、手順はエリアＳＩＢの処理を継続するためにステップＳ７に分岐する。
【０１２４】
図１ｂの場合、第１のビットフィールドの変更を検出した後、手順はＳ７に分岐し、次のフィールドを読み込む。好ましくは、次のフィールドは既にアクセス規制による影響を受けた無線端末のクラスである。したがって、変更がステップＳ８において検出され、結果としてステップＳ９において格納される。上記カウンタのさらなるインクリメントはステップＳ１０の状況をもたらし、ここでａｒｅａＳｙｓＶａｌＴａｇにより表示された全ての変更が前もって処理される。結果として手順はＳ６に分岐し、エリアＳＩＢの残りの部分を破棄する。
【０１２５】
この好ましい実施形態によって、無線端末は、エリアＳＩＢの変更が示されていても多くのエリアＳＩＢを無視する可能性を有することによって、エリアＳＩＢを処理するための多くのエネルギーを節約できることは明らかである。
【０１２６】
これは、理想のケースではエリア関連システム情報を読み込むために追加の電力を消費する必要がないため、１つのエリアの一部である基地局の中からのセル再選択後はなおさらである。
【０１２７】
以上の詳細な説明において、例示により、本発明が実施される特定の実施形態を示す添付図面が参照される。これらの実施形態は、当業者が本発明を実施することができるように十分詳細に記載される。異なっていたとしても、本発明の様々な実施形態は必ずしも互いに排他的ではないことは理解されるべきである。例えば、一実施形態と関連して本明細書に記載される特定の特徴、構造、又は特性は、本発明の範囲を逸脱することなく、別の実施形態において実現されてもよい。加えて、開示される各実施形態の範囲内の個別要素の位置又は配置は、本発明の範囲を逸脱することなく変更されてもよいことは理解されるべきである。したがって、以上の詳細な説明は、限定的な意味で受け取られるべきではなく、本発明の範囲は、請求項が権利を得ることができる全範囲の同等物とともに、適切に解釈された、添付の請求項によってのみ定義される。
【手続補正２】
【補正対象書類名】特許請求の範囲
【補正対象項目名】全文
【補正方法】変更
【補正の内容】
【特許請求の範囲】
【請求項１】
キャンプオンするように構成された複数の基地局（ＢＳ１、ＢＳ２、ＢＳ３）を有するセルラネットワーク（ＣＮ）で動作する無線端末（ＵＥ）であって、前記無線端末がトランシーバと、少なくとも１つのプロセッサと、メモリとを備え、
前記トランシーバが１組のシステム情報を受信するように構成され、前記基地局によりそれぞれ送信された前記システム情報のそれぞれが、前記基地局の１つにより送信されたエリアシステム情報を含み、前記エリアシステム情報が、前記基地局及び少なくとも１つの他の基地局によりカバーされるローカルエリア（Ａ１、Ａ２）に共通であり、前記プロセッサが、受信したエリアシステム情報を前記メモリに格納するように構成され、
前記無線端末が、第１の基地局（ＢＳ１）から第２の基地局（ＢＳ２）へのセル再選択を実行したとき、
−前記第１の基地局から受信した格納されているエリアシステム情報に関連する表示を含む、エリアシステム情報の専用送信要求を前記第２の基地局に送信し、
−前記表示のある格納されているエリアシステム情報と、前記第２の基地局からの実際のシステム情報の差を含む送信を検索して処理するように構成され、
前記無線端末の前記プロセッサがさらに、
−前記システム情報と共に送信されたエリアの変更を示すエリア識別子、又は
−前記システム情報と共に送信されたエリアシステム情報値の値の変更を示すシステム値変更フィールド
を検出した場合にのみ、後で送信されたエリアシステム情報を処理するように構成される無線端末（ＵＥ）。
【請求項２】
前記無線端末の前記プロセッサがさらに、
−前記システム情報と共に送信された前記システム値変更フィールドのオーバーランを示すオーバーランフィールド
を検出した場合に、後で送信されたエリアシステム情報を処理するように構成される、請求項１に記載の無線端末。
【請求項３】
前記無線端末が現在の基地局（ＢＳ１）から第２の基地局（ＢＳ２）へのセル再選択を実行するように構成され、
前記プロセッサが、
−前記第２の基地局により送信されたエリア識別子が、前記格納されている１組のシステム情報（ＳＩ１）と共に受信された前記エリア識別子と異なる場合、
−前記第２の基地局により送信されたシステム値変更フィールドが、前記格納されている１組のシステム情報と共に受信された前記システム値変更フィールドと異なる場合、
−前記第２の基地局により送信されたオーバーランフィールドが、前記システム値変更フィールドのオーバーランを示す場合、
のうちの少なくとも１つの場合に、前記第２の基地局により送信された完全なエリアシステム情報を処理するように構成される、請求項１又は２に記載の無線端末（ＵＥ）。
【請求項４】
エリアシステム情報の前記専用送信要求は、前記無線端末が、
ａ）前記エリア（Ａ１、Ａ２）の変更、又は
ｂ）エリアシステム情報の一般システム情報（ＳＩ１、ＳＩ２、ＳＩ３）からの変更
のうちの少なくとも１つに直面した場合にのみ送信される、請求項３に記載の無線端末（ＵＥ）。
【請求項５】
前記システム値変更フィールドがエリアシステム情報の値の変更を示している場合に、前記プロセッサが、後で送信されたエリアシステム情報を処理するように構成され、前記処理が、
−前記システム値変更フィールドから複数の変更を決定すること、
−前記処理されたエリアシステム情報を、前記格納されているエリアシステム情報と比較すること、
−処理されたシステム情報と前記格納されているエリアシステム情報の差の数が、検索された変更の数を補完する場合に復号を停止すること
を含む、請求項１乃至４のいずれか一項に記載の無線端末（ＵＥ）。
【請求項６】
前記エリア識別子及びオーバーランフィールドのうちの少なくとも１つが前記エリアシステム情報の変更を示す場合に、前記プロセッサが、前記完全なエリアシステム情報を復号することによって、後で送信されたエリアシステム情報を処理するように構成される、請求項１乃至５のいずれか一項に記載の無線端末（ＵＥ）。
【請求項７】
無線通信のためのセルラネットワーク（ＣＮ）の基地局（ＢＳ１、ＢＳ２、ＢＳ３）であって、前記基地局が送信回路を備え、前記送信回路が１組のシステム情報を前記基地局で動作する無線端末（ＵＥ）に送信するように構成され、
前記１組のシステム情報がエリア関連システム情報ブロック及び非エリアシステム情報に分割され、前記エリア関連システム情報ブロックが、前記基地局及び少なくとも１つの他の基地局によりカバーされるローカルエリア（Ａ１、Ａ２）用に確保され、
前記基地局が、無線端末（ＵＥ）からの要求を受信したときにエリアシステム情報を提供するように構成され、以前に送信されたエリアシステム情報との差が、前記受信した要求に含まれるエリア識別子及び前記基地局に割り当てられたエリア識別子を考慮して提供され、
少なくとも１つのシステム情報ブロックが、
−前記セルラネットワークの全てのエリア内で一意のエリア識別子と、
−前記少なくとも１つのエリアシステム情報ブロックのデータフィールドの値の変更を示すシステム値変更フィールドと
を含む基地局（ＢＳ１、ＢＳ２、ＢＳ３）。
【請求項８】
さらに、少なくとも１つのシステム情報ブロックが、
−システム値変更フィールドのオーバーランを示すオーバーランフィールドを含むように構成される、請求項７に記載の基地局（ＢＳ１、ＢＳ２、ＢＳ３）。
【請求項９】
マスターシステム情報ブロックを含むフレーム構造のデータを送信するようにさらに構成され、前記マスター情報ブロックが、前記システム情報（ＳＩ１、ＳＩ２、ＳＩ３）のどの部分が前記エリアシステム情報の一部であるかを示す少なくとも１つのデータフィールドを含む、請求項７又は８に記載の基地局（ＢＳ１、ＢＳ２、ＢＳ３）。
【請求項１０】
複数の基地局（ＢＳ１、ＢＳ２、ＢＳ３）を有するセルラネットワーク（ＣＮ）で動作する無線端末（ＵＥ）によりシステム情報を読み込む方法であって、前記方法が、
−前記無線端末による要求に応じて、前記無線端末が現在キャンプオン中の前記基地局から、それぞれが前記基地局により送信され、前記基地局及び少なくとも１つの他の基地局によりカバーされたローカルエリア（Ａ１、Ａ２）に共通のエリアシステム情報を含む第１のシステム情報の組を受信するステップであって、
以前に送信されたエリアシステム情報との差が、上記要求に含まれるエリア識別子及び上記基地局に割り当てられたエリア識別子を考慮して受信されるステップと、
−前記システム情報を格納するステップと、
−前記システム情報と共に送信されたエリアの変更を示すエリア識別子、又は
−前記システム情報と共に送信されたシステム情報値の値の変更を示すシステム値変更フィールド
を検出した場合にのみ、後で送信されたエリアシステム情報を処理するステップと、
を含む方法。
【請求項１１】
現在の基地局（ＢＳ１）から第２の基地局（ＢＳ２）へのセル再選択を実行し、
−前記第２の基地局により送信されたエリア識別子が、前記システム情報の組と共に以前に受信されたエリア識別子と異なる場合、
−前記第２の基地局により送信されたシステム値変更フィールドが、前記システム情報の組と共に以前に受信されたシステム値変更フィールドと異なる場合、
−前記第２の基地局により送信されたオーバーランフィールドが、前記システム値変更フィールドのオーバーランを示す場合、
のうちの少なくとも１つの場合に、前記第２の基地局により送信された完全なエリアシステム情報を復号するステップを含む、請求項１０に記載の方法。
【請求項１２】
前記システム値変更フィールドがエリアシステム情報の値の変更を示している場合に、前記方法が、
−前記システム値変更フィールドから複数の変更を決定すること、
−前記処理されたエリアシステム情報を、前記格納されているエリアシステム情報と比較すること、及び
−処理されたシステム情報と格納されているエリアシステム情報の差の数が、検索された変更の数を補完する場合に復号を停止すること
によって、後で送信されたエリアシステム情報を処理することを含む、請求項１０又は１１に記載の方法。
【請求項１３】
セルラネットワークの一部である基地局（ＢＳ１、ＢＳ２、ＢＳ３）によりシステム情報を送信する方法であって、
−前記方法が、１組のシステム情報を前記基地局で動作する無線端末（ＵＥ）に送信するステップを含み、前記１組のシステム情報がエリア関連システム情報ブロック及び非エリアシステム情報に分割され、前記エリア関連システム情報ブロックが前記基地局及び少なくとも１つの他の基地局によりカバーされるローカルエリア（Ａ１、Ａ２）用に確保され、
前記基地局が、無線端末（ＵＥ）からの要求を受信したときにエリアシステム情報を提供するように構成され、以前に送信されたエリアシステム情報との差が、前記受信した要求に含まれるエリア識別子及び前記基地局に割り当てられたエリア識別子を考慮して提供され、
少なくとも１つのシステム情報ブロックが、
−前記セルラネットワーク（ＣＮ）の全てのエリア内で一意のエリア識別子と、
−前記少なくとも１つのエリアシステム情報ブロックのデータフィールドの値の変更を示すシステム値変更フィールドと
を含む方法。
【請求項１４】
前記システム値変更フィールドが、前記エリアシステム情報ブロックのデータフィールドの各変更をカウントしている、請求項１３に記載の方法。
【請求項１５】
請求項７に記載の複数の基地局（ＢＳ１、ＢＳ２、ＢＳ３）と、１つのエリアに属する前記基地局のうちの少なくとも２つを制御するように構成された少なくとも１つのモビリティ管理エンティティとを有するセルラネットワーク（ＣＮ）であって、
前記モビリティ管理エンティティが、エリアシステム情報の変更を指定する場合に、指定した変更時間を前記基地局に示すように構成されるセルラネットワーク（ＣＮ）。
【請求項１６】
前記指定した変更時間がブロードキャスト変更期間の始まりを示す、請求項１５に記載のセルラネットワーク（ＣＮ）。
【国際調査報告】
2019527001.tif 000006
2019527001.tif 000007
2019527001.tif 000008
2019527001.tif 000009